(57)【要約】【課題】電子ペン用媒体上の任意の位置に、任意の容量の音声情報を付加することが可能な電子ペン、端末装置及びそれに用いられるプログラムを提供することを目的とする。【解決手段】第１利用者は、電子ペン８０ａにより帳票３１ａの任意の位置にメッセージ記入及び音声入力を行う。各種サーバは、電子ペン８０ａから、帳票３１ａに対応するエリア定義情報ファイル、メッセージを記入したメッセージエリアのページアドレス及び座標データ、メッセージエリアへの記入内容に対応するストロークデータ、メッセージエリアへの記入中に入力された音声データを取得し、記憶・管理する。第２利用者は、電子ペン８０ｂにより帳票３１ａの任意の位置をタップする。すると、電子ペン８０ｂは、当該帳票のページアドレス及び座標データに対応する音声データを音声サーバ９５から取得し音声を出力する。【選択図】図１４
2009193366.tif 000002
【特許請求の範囲】
【請求項１】
電子ペンにより認識可能なコード化パターンが印刷された電子ペン用媒体に記入された情報を処理する電子ペンであって、
前記コード化パターン上における所定のページを識別するページアドレスと、所定のエリアのコード化パターン上における座標データとを対応付けた定義情報を記憶する情報記憶手段と、
前記電子ペン用媒体への記入内容に対応する記入情報を取得する記入情報取得手段と、
前記記入情報に含まれるページアドレス及び座標データに基づいて前記定義情報を参照することで前記エリアを認識するエリア認識手段と、
前記記入情報に基づいて、前記エリア認識手段が認識したエリアがタップされたか否かを判定するタップ判定手段と、
前記タップ判定手段による判定結果に基づいて、エリア定義情報ファイルを取得するファイル取得手段と、を備えることを特徴とする電子ペン。
【請求項２】
前記記入情報に基づいて、データ開始点及びデータ終了点を特定する開始終了点特定手段をさらに備え、
前記タップ判定手段は、前記データ開始点及び前記データ終了点に基づく時間及び／又は距離により、前記エリア認識手段が認識したエリアがタップされたか否かを判定することを特徴とする請求項１に記載の電子ペン。
【請求項３】
前記記入情報に基づき、前記コード化パターン上においてあて先が記入されたエリアをあて先エリアに設定するあて先エリア設定手段と、
前記あて先エリアに記入されたストロークデータと、前記あて先エリアを示す座標データ及びページアドレスとを含むあて先情報を送信するあて先情報送信手段と、をさらに備えることを特徴とする請求項１又は２に記載の電子ペン。
【請求項４】
前記記入情報に基づき、前記コード化パターンエリア上においてメッセージが記入されたエリアをメッセージエリアに設定するメッセージエリア設定手段と、
前記メッセージエリアに記入されたストロークデータと、前記メッセージエリアを示す座標データ及びページアドレスとを含むストローク情報を送信するストローク情報送信手段と、をさらに備えることを特徴とする請求項１乃至３のいずれか一項に記載の電子ペン。
【請求項５】
前記電子ペンは、音声入力部を備え、
前記メッセージエリアへの記入中に前記音声入力部により音声を入力する音声入力手段と、
前記音声入力手段が入力した音声データと、前記メッセージエリアを示す座標データ及びページアドレスとを含む音声情報を送信する音声情報送信手段と、をさらに備えることを特徴とする請求項１乃至４のいずれか一項に記載の電子ペン。
【請求項６】
前記ファイル取得手段が取得したエリア定義情報ファイルと、前記メッセージエリアを示す座標データおよびページアドレスとを含む記入済ファイル情報を送信する記入済ファイル情報送信手段と、をさらに備えることを特徴とする請求項１乃至５のいずれか一項に記載の電子ペン。
【請求項７】
前記電子ペンは、音声出力部を備え、
前記記入情報取得手段が取得した記入情報に含まれるページアドレス及び座標データを送信する送信手段と、
前記ページアドレス及び前記座標データに対応する音声データを取得する音声データ取得手段と、
前記音声データ取得手段が取得した音声データに基づく音声を前記音声出力部より出力する音声出力手段と、をさらに備えることを特徴とする請求項６に記載の電子ペン。
【請求項８】
電子ペンにより認識可能なコード化パターンが印刷された電子ペン用媒体に記入された情報を処理する電子ペンであって、
キー値を取得するキー取得手段と、
前記電子ペン用媒体への記入内容に対応する記入情報を取得する記入情報取得手段と、
前記記入情報に基づき、前記コード化パターン上においてメッセージが記入されたエリアをメッセージエリアに設定するメッセージエリア設定手段と、
前記キー取得手段が取得したキー値と、前記メッセージエリアに記入されたストロークデータと、前記メッセージエリアが設けられた前記コード化パターン上に置けるページを識別するページアドレスと、前記メッセージエリアを示す座標データとを含むストローク情報を送信するストローク情報送信手段と、を備えることを特徴とする電子ペン。
【請求項９】
前記電子ペンは、音声入力部を備え、
前記メッセージエリアへの記入中に前記音声入力部により音声を入力する音声入力手段と、
前記キー取得手段が取得したキー値と、前記音声入力手段が入力した音声データと、前記メッセージエリアを示す座標データ及びページアドレスとを含む音声情報を送信する音声情報送信手段と、をさらに備えることを特徴とする請求項８に記載の電子ペン。
【請求項１０】
前記電子ペンは、記入済ファイルサーバと通信可能に接続されており、
前記キー値取得手段が取得したキー値に対応する前記ストローク情報を取得するストローク情報取得手段と、
前記ストローク情報取得手段が取得したストローク情報に基づいて、新たなエリア定義情報ファイルを作成するファイル作成手段と、
前記ファイル作成手段が作成したエリア定義情報ファイルと、前記メッセージエリアを示す座標データ及びページアドレスとを含む記入済ファイル情報を前記記入済ファイルサーバに送信する記入済ファイル情報送信手段と、をさらに備えることを特徴とする請求項８又は９に記載の電子ペン。
【請求項１１】
前記記入済ファイルサーバは、前記記入済ファイル情報に基づいて作成され、前記メッセージエリアを示す座標データ及びページアドレスを対応付けた対応テーブルを記憶しており、
前記電子ペンは、音声出力部を備え、
前記記入情報取得手段が取得した記入情報に含まれるページアドレス及び座標データを送信する送信手段と、
前記ページアドレス及び前記座標データに基づいて前記対応テーブルを参照することにより抽出された音声データを取得する音声データ取得手段と、
前記音声データ取得手段が取得した音声データに基づく音声を前記音声出力部により出力する音声出力手段と、をさらに備えることを特徴とする請求項１０に記載の電子ペン。
【請求項１２】
電子ペンにより認識可能なコード化パターンが印刷された電子ペン用媒体に記入された情報を処理する電子ペンにより実行されるプログラムであって、
前記コード化パターン上における所定のページを識別するページアドレスと、所定のエリアのコード化パターン上における座標データとを対応付けた定義情報を記憶する情報記憶手段、
前記電子ペン用媒体への記入内容に対応する記入情報を取得する記入情報取得手段、
前記記入情報に含まれるページアドレス及び座標データに基づいて前記定義情報を参照することで前記エリアを認識するエリア認識手段、
前記記入情報に基づいて、前記エリア認識手段が認識したエリアがタップされたか否かを判定するタップ判定手段、
前記タップ判定手段による判定結果に基づいて、エリア定義情報ファイルを取得するファイル取得手段、として前記電子ペンを機能させることを特徴とするプログラム。
【請求項１３】
電子ペンにより認識可能なコード化パターンが印刷された電子ペン用媒体に記入された情報を処理する電子ペンにより実行されるプログラムであって、
キー値を取得するキー取得手段、
前記電子ペン用媒体への記入内容に対応する記入情報を取得する記入情報取得手段、
前記記入情報に基づき、前記コード化パターン上においてメッセージが記入されたエリアをメッセージエリアに設定するメッセージエリア設定手段、
前記キー取得手段が取得したキー値と、前記メッセージエリアに記入されたストロークデータと、前記メッセージエリアが設けられた前記コード化パターン上に置けるページを識別するページアドレスと、前記メッセージエリアを示す座標データとを含むストローク情報を送信するストローク情報送信手段、として前記電子ペンを機能させることを特徴とするプログラム。
【請求項１４】
電子ペンにより認識可能なコード化パターンが印刷された電子ペン用媒体に記入された情報を処理する端末装置であって、
前記コード化パターン上における所定のページを識別するページアドレスと、所定のエリアのコード化パターン上における座標データとを対応付けた定義情報を記憶する情報記憶手段と、
前記電子ペンから、前記電子ペン用媒体への記入内容に対応する記入情報を取得する記入情報取得手段と、
前記記入情報に含まれるページアドレス及び座標データに基づいて前記定義情報を参照することで前記エリアを認識するエリア認識手段と、
前記記入情報に基づいて、前記エリア認識手段が認識したエリアがタップされたか否かを判定するタップ判定手段と、
前記タップ判定手段による判定結果に基づいて、エリア定義情報ファイルを取得するファイル取得手段と、を備えることを特徴とする端末装置。
【請求項１５】
前記記入情報に基づいて、データ開始点及びデータ終了点を特定する開始終了点特定手段をさらに備え、
前記タップ判定手段は、前記データ開始点及び前記データ終了点に基づく時間及び／又は距離により、前記エリア認識手段が認識したエリアがタップされたか否かを判定することを特徴とする請求項１４に記載の端末装置。
【請求項１６】
前記記入情報に基づき、前記コード化パターン上においてあて先が記入されたエリアをあて先エリアに設定するあて先エリア設定手段と、
前記あて先エリアに記入されたストロークデータと、前記あて先エリアを示す座標データ及びページアドレスとを含むあて先情報を送信するあて先情報送信手段と、をさらに備えることを特徴とする請求項１４又は１５に記載の端末装置。
【請求項１７】
前記記入情報に基づき、前記コード化パターンエリア上においてメッセージが記入されたエリアをメッセージエリアに設定するメッセージエリア設定手段と、
前記メッセージエリアに記入されたストロークデータと、前記メッセージエリアを示す座標データ及びページアドレスとを含むストローク情報を送信するストローク情報送信手段と、をさらに備えることを特徴とする請求項１４乃至１６のいずれか一項に記載の端末装置。
【請求項１８】
前記端末装置は、音声入力部を備え、
前記メッセージエリアへの記入中に前記音声入力部により音声を入力する音声入力手段と、
前記音声入力手段が入力した音声データと、前記メッセージエリアを示す座標データ及びページアドレスとを含む音声情報を送信する音声情報送信手段と、をさらに備えることを特徴とする請求項１４乃至１７のいずれか一項に記載の端末装置。
【請求項１９】
前記ファイル取得手段が取得したエリア定義情報ファイルと、前記メッセージエリアを示す座標データおよびページアドレスとを含む記入済ファイル情報を送信する記入済ファイル情報送信手段と、をさらに備えることを特徴とする請求項１４乃至１８のいずれか一項に記載の端末装置。
【請求項２０】
前記端末装置は、音声出力部を備え、
前記記入情報取得手段が取得した記入情報に含まれるページアドレス及び座標データを送信する送信手段と、
前記ページアドレス及び前記座標データに対応する音声データを取得する音声データ取得手段と、
前記音声データ取得手段が取得した音声データに基づく音声を前記音声出力部より出力する音声出力手段と、をさらに備えることを特徴とする請求項１９に記載の端末装置。
【請求項２１】
電子ペンにより認識可能なコード化パターンが印刷された電子ペン用媒体に記入された情報を処理する端末装置であって、
キー値を取得するキー取得手段と、
前記電子ペンから、前記電子ペン用媒体への記入内容に対応する記入情報を取得する記入情報取得手段と、
前記記入情報に基づき、前記コード化パターン上においてメッセージが記入されたエリアをメッセージエリアに設定するメッセージエリア設定手段と、
前記キー取得手段が取得したキー値と、前記メッセージエリアに記入されたストロークデータと、前記メッセージエリアが設けられた前記コード化パターン上に置けるページを識別するページアドレスと、前記メッセージエリアを示す座標データとを含むストローク情報を送信するストローク情報送信手段と、を備えることを特徴とする端末装置。
【請求項２２】
前記端末装置は、音声入力部を備え、
前記メッセージエリアへの記入中に前記音声入力部により音声を入力する音声入力手段と、
前記キー取得手段が取得したキー値と、前記音声入力手段が入力した音声データと、前記メッセージエリアを示す座標データ及びページアドレスとを含む音声情報を送信する音声情報送信手段と、をさらに備えることを特徴とする請求項２１に記載の端末装置。
【請求項２３】
前記端末装置は、記入済ファイルサーバと通信可能に接続されており、
前記キー値取得手段が取得したキー値に対応する前記ストローク情報を取得するストローク情報取得手段と、
前記ストローク情報取得手段が取得したストローク情報に基づいて、新たなエリア定義情報ファイルを作成するファイル作成手段と、
前記ファイル作成手段が作成したエリア定義情報ファイルと、前記メッセージエリアを示す座標データ及びページアドレスとを含む記入済ファイル情報を前記記入済ファイルサーバに送信する記入済ファイル情報送信手段と、をさらに備えることを特徴とする請求項２１又は２２に記載の端末装置。
【請求項２４】
前記記入済ファイルサーバは、前記記入済ファイル情報に基づいて作成され、前記メッセージエリアを示す座標データ及びページアドレスを対応付けた対応テーブルを記憶しており、
前記端末装置は、音声出力部を備え、
前記記入情報取得手段が取得した記入情報に含まれるページアドレス及び座標データを送信する送信手段と、
前記ページアドレス及び前記座標データに基づいて前記対応テーブルを参照することにより抽出された音声データを取得する音声データ取得手段と、
前記音声データ取得手段が取得した音声データに基づく音声を前記音声出力部により出力する音声出力手段と、をさらに備えることを特徴とする請求項２３に記載の端末装置。
【請求項２５】
電子ペンにより認識可能なコード化パターンが印刷された電子ペン用媒体に記入された情報を処理するコンピュータにより実行されるプログラムであって、
前記コード化パターン上における所定のページを識別するページアドレスと、所定のエリアのコード化パターン上における座標データとを対応付けた定義情報を記憶する情報記憶手段と、
前記電子ペンから、前記電子ペン用媒体への記入内容に対応する記入情報を取得する記入情報取得手段と、
前記記入情報に含まれるページアドレス及び座標データに基づいて前記定義情報を参照することで前記エリアを認識するエリア認識手段と、
前記記入情報に基づいて、前記エリア認識手段が認識したエリアがタップされたか否かを判定するタップ判定手段と、
前記タップ判定手段による判定結果に基づいて、エリア定義情報ファイルを取得するファイル取得手段として前記コンピュータを機能させることを特徴とするプログラム。
【請求項２６】
電子ペンにより認識可能なコード化パターンが印刷された電子ペン用媒体に記入された情報を処理するコンピュータにより実行されるプログラムであって、
キー値を取得するキー取得手段と、
前記電子ペンから、前記電子ペン用媒体への記入内容に対応する記入情報を取得する記入情報取得手段と、
前記記入情報に基づき、前記コード化パターン上においてメッセージが記入されたエリアをメッセージエリアに設定するメッセージエリア設定手段と、
前記キー取得手段が取得したキー値と、前記メッセージエリアに記入されたストロークデータと、前記メッセージエリアが設けられた前記コード化パターン上に置けるページを識別するページアドレスと、前記メッセージエリアを示す座標データとを含むストローク情報を送信するストローク情報送信手段として前記コンピュータを機能させることを特徴とするプログラム。
【発明の詳細な説明】
【技術分野】
【０００１】
本発明は、電子ペンにより電子ペン用媒体等に記入された記入情報を処理する技術に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている（特許文献１参照）。アノトペンは、所定のドットパターンが印刷された専用紙（以下、「専用ペーパー」とも呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像にチェックマークを記入したりすると、ペンの移動に伴って小型カメラが専用紙に印刷されたドットパターンを検出し、利用者が書き込んだ文字、画像などの記入情報が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、各種ビジネス上の書類、申込書、契約書等に記入されたデータをデジタル化する手法として、電子ペンを利用したシステムが普及しつつある（例えば、特許文献２）。
【０００３】
特許文献３には、このような電子ペンを利用して、専用の被筆記媒体に手書きで筆記された絵や文字等を画像情報とし、遠隔地の利用者が所定の端末装置によって当該画像情報に対応する画像を見ることができる画像配信システムが開示されている。しかし、特許文献３は、電子ペンを利用した画像情報について記載するに止まり、画像情報以外の情報に基づいて遠隔地の利用者が所定の端末装置で視聴を行うことについては何ら記載されていない。
【特許文献１】特表２００３−５１１７６１号公報
【特許文献２】特開２００４−１５３６１２号公報
【特許文献３】特開２００７−１８１８５号公報
【発明の開示】
【発明が解決しようとする課題】
【０００４】
そこで本発明は、電子ペン用媒体上の任意の位置に、任意の容量の音声情報を付加することが可能な電子ペン、端末装置及びそれに用いられるプログラムを提供することを目的とする。
【課題を解決するための手段】
【０００５】
本発明に係る電子ペンは、電子ペンにより認識可能なコード化パターンが印刷された電子ペン用媒体に記入された情報を処理する電子ペンであって、前記コード化パターン上における所定のページを識別するページアドレスと、所定のエリアのコード化パターン上における座標データとを対応付けた定義情報を記憶する情報記憶手段と、前記電子ペン用媒体への記入内容に対応する記入情報を取得する記入情報取得手段と、前記記入情報に含まれるページアドレス及び座標データに基づいて前記定義情報を参照することで前記エリアを認識するエリア認識手段と、前記記入情報に基づいて、前記エリア認識手段が認識したエリアがタップされたか否かを判定するタップ判定手段と、前記タップ判定手段による判定結果に基づいて、エリア定義情報ファイルを取得するファイル取得手段と、を備えることを特徴とする。
【０００６】
この構成によれば、利用者が電子ペンにより電子ペン用媒体に記入及び／又はタップをすると、記入情報取得手段によって、電子ペンは、電子ペン用媒体への記入及び／又はタップに対応する記入情報を取得する。タップとは、電子ペンにより電子ペン用媒体を軽く叩くことである。そして、エリア認識手段は、記入情報取得手段により取得された記入情報に含まれるページアドレス及び座標データに基づいて、情報記憶手段に記憶された定義情報を参照し、電子ペンにより記入及び／又はタップが行われたユーザエリアを認識する。さらに、タップ判定手段は、記入情報に基づいて、エリア認識手段が認識したユーザエリアへの記入及び／又はタップがタップであるか否かを判定する。ファイル取得手段は、タップ判定手段による判定結果に基づいて、エリア定義情報ファイルを取得する。エリア定義情報ファイルとは、ページ毎のユーザエリアの定義情報、即ちユーザエリアと、当該ユーザエリアのドットパターン上の位置座標との関係性を示す情報である。エリア定義情報ファイルの取得に対応付けられたエリアが、電子ペンによりタップされた場合に、ファイル取得手段は空のエリア定義情報ファイルを取得する。つまり、電子ペンは、所定のエリアをタップするだけで容易に、対応するユーザエリアが定義されていない空のエリア定義情報ファイルを取得することができる。
【０００７】
さらに、上記電子ペンにおいて、前記記入情報に基づいて、データ開始点及びデータ終了点を特定する開始終了点特定手段をさらに備え、前記タップ判定手段は、前記データ開始点及び前記データ終了点に基づく時間及び／又は距離により、前記エリア認識手段が認識したエリアがタップされたか否かを判定すると好適である。
【０００８】
このように構成された電子ペンによれば、まず、開始終了点特定手段が記入情報に基づき、データ開始点及びデータ終了点を特定する。そして、タップ判定手段は、開始終了点特定手段により特定されたデータ開始点及びデータ終了点に基づく時間及び／又は距離により、エリア認識手段が認識したエリアがタップされたか否かを判定する。これによれば、タップ判定手段は、データ開始点及びデータ終了点に基づく時間及び／又は距離により、利用者の記入したストロークがタップであるか否かを判定し、文字や図柄と区別することが可能となる。
【０００９】
上記電子ペンにおいて、前記記入情報に基づき、前記コード化パターン上においてあて先が記入されたエリアをあて先エリアに設定するあて先エリア設定手段と、前記あて先エリアに記入されたストロークデータと、前記あて先エリアを示す座標データ及びページアドレスとを含むあて先情報を送信するあて先情報送信手段と、をさらに備えることを特徴とする。これによれば、あて先エリアに記入されたストロークデータと、当該あて先エリアを示す座標データ及びページアドレスとをあて先情報として所定のサーバ等で記憶しておくことができる。よって、電子ペンが記入及び／又はタップにより取得した記入情報に含まれる座標データ及びページアドレスに基づいて、容易に対応するあて先情報を認識することが可能となる。
【００１０】
上記電子ペンにおいて、前記記入情報に基づき、前記コード化パターンエリア上においてメッセージが記入されたエリアをメッセージエリアに設定するメッセージエリア設定手段と、前記メッセージエリアに記入されたストロークデータと、前記メッセージエリアを示す座標データ及びページアドレスとを含むストローク情報を送信するストローク情報送信手段と、をさらに備えることを特徴とする。これによれば、メッセージエリアに記入されたストロークデータと、メッセージエリアを示す座標データ及びページアドレスとをメッセージ情報として所定のサーバ等で記憶しておくことができる。よって、電子ペン用媒体上の任意の位置と、当該位置に記入されたメッセージとを対応付けて記憶・管理することができる。
【００１１】
上記電子ペンにおいて、前記電子ペンは、音声入力部を備え、前記メッセージエリアへの記入中に前記音声入力部により音声を入力する音声入力手段と、前記音声入力手段が入力した音声データと、前記メッセージエリアを示す座標データ及びページアドレスとを含む音声情報を送信する音声情報送信手段と、をさらに備えることを特徴とする。これによれば、メッセージエリアへの記入中に入力された音声データを、当該メッセージエリアを示す座標データ及びページアドレスに対応付けた音声情報として所定のサーバ等で記憶しておくことができる。よって、電子ペン用媒体上の任意の位置と、当該位置において入力された音声データとを対応付けて記憶・管理することができる。
【００１２】
上記電子ペンにおいて、前記ファイル取得手段が取得したエリア定義情報ファイルと、前記メッセージエリアを示す座標データおよびページアドレスとを含む記入済ファイル情報を送信する記入済ファイル情報送信手段と、をさらに備えることを特徴とする。これによれば、エリア定義情報ファイルにメッセージエリアと、当該メッセージエリアを示す座標データを書き込むことができる。即ち、エリア定義情報ファイルと、メッセージエリアを示す座標データ及びページアドレスとを対応付けて所定のサーバ等で記憶しておくことができる。
【００１３】
上記電子ペンにおいて、前記電子ペンは、音声出力部を備え、前記記入情報取得手段が取得した記入情報に含まれるページアドレス及び座標データを送信する送信手段と、前記ページアドレス及び前記座標データに対応する音声データを取得する音声データ取得手段と、前記音声データ取得手段が取得した音声データに基づく音声を前記音声出力部より出力する音声出力手段と、をさらに備えることを特徴とする。
【００１４】
このように構成された電子ペンにおいて、音声データ取得手段は、記入情報取得手段が取得した記入情報に含まれるページアドレス及び座標データに対応する音声データを取得する。そして、音声出力手段は、音声データ取得手段が取得した音声データに基づく音声を音声出力部より出力する。これによれば、電子ペンは、電子ペン用媒体において任意の位置に記入及び／又はタップを行うと、当該位置に対応する音声データを取得し、音声を出力することができる。
【００１５】
本発明の別の観点では、電子ペンにより認識可能なコード化パターンが印刷された電子ペン用媒体に記入された情報を処理する電子ペンであって、キー値を取得するキー取得手段と、前記電子ペン用媒体への記入内容に対応する記入情報を取得する記入情報取得手段と、前記記入情報に基づき、前記コード化パターン上においてメッセージが記入されたエリアをメッセージエリアに設定するメッセージエリア設定手段と、前記キー取得手段が取得したキー値と、前記メッセージエリアに記入されたストロークデータと、前記メッセージエリアが設けられた前記コード化パターン上に置けるページを識別するページアドレスと、前記メッセージエリアを示す座標データとを含むストローク情報を送信するストローク情報送信手段と、を備えることを特徴とする。
【００１６】
この構成によれば、電子ペンは、まずキー値を取得する。また、利用者が電子ペンにより電子ペン用媒体に記入及び／又はタップをすると、記入情報取得手段によって、電子ペンは、電子ペン用媒体への記入及び／又はタップに対応する記入情報を取得する。そして、メッセージエリア設定手段は、記入情報取得手段が取得した記入情報に基づいて、コード化パターン上においてメッセージが記入されたエリアをメッセージエリアに設定する。さらに、ストローク情報送信手段は、キー取得手段が取得したキー値と、メッセージエリアに記入されたストロークデータと、当該メッセージエリアを示すページアドレス及び座標データとを含むストローク情報を送信する。つまり、所定のサーバは、キー値と、メッセージエリアに記入されたストロークデータと、当該メッセージエリアを示すページアドレス及び座標データとを対応付けて記憶・管理することができる。
【００１７】
上記電子ペンにおいて、前記電子ペンは、音声入力部を備え、前記メッセージエリアへの記入中に前記音声入力部により音声を入力する音声入力手段と、前記キー取得手段が取得したキー値と、前記音声入力手段が入力した音声データと、前記メッセージエリアを示す座標データ及びページアドレスとを含む音声情報を送信する音声情報送信手段と、をさらに備えることを特徴とする。これによれば、メッセージエリアへの記入中に入力された音声データを、当該メッセージエリアを示す座標データ及びページアドレスと、キー値とに対応付けた音声情報として所定のサーバ等で記憶しておくことができる。よって、キー値と、電子ペン用媒体上の任意の位置と、当該位置において入力された音声データとを対応付けて記憶・管理することができる。
【００１８】
上記電子ペンにおいて、前記電子ペンは、記入済ファイルサーバと通信可能に接続されており、前記キー値取得手段が取得したキー値に対応する前記ストローク情報を取得するストローク情報取得手段と、前記ストローク情報取得手段が取得したストローク情報に基づいて、新たなエリア定義情報ファイルを作成するファイル作成手段と、前記ファイル作成手段が作成したエリア定義情報ファイルと、前記メッセージエリアを示す座標データ及びページアドレスとを含む記入済ファイル情報を前記記入済ファイルサーバに送信する記入済ファイル情報送信手段と、をさらに備えることを特徴とする。
【００１９】
この構成によれば、電子ペンは、まずキー値取得手段が取得したキー値に対応する１つ以上のストローク情報を取得し、ファイル作成手段により新たなエリア定義情報ファイルを作成する。そして、記入済ファイル情報送信手段は、ファイル作成手段が作成した新たなエリア定義情報ファイルと、メッセージエリアを示す座標データ及びページアドレスとを含む記入済ファイル情報を記入済ファイルサーバに送信する。これによれば、記入済ファイルサーバは、キー値が一致するエリア定義情報ファイルに基づいて作成した新たなエリア定義情報ファイルと、メッセージエリアを示す座標データ及びページアドレスとを対応付けたエリア定義情報ファイル情報を記憶・管理することができる。
【００２０】
上記電子ペンにおいて、前記記入済ファイルサーバは、前記記入済ファイル情報に基づいて作成され、前記メッセージエリアを示す座標データ及びページアドレスを対応付けた対応テーブルを記憶しており、前記電子ペンは、音声出力部を備え、前記記入情報取得手段が取得した記入情報に含まれるページアドレス及び座標データを送信する送信手段と、前記ページアドレス及び前記座標データに基づいて前記対応テーブルを参照することにより抽出された音声データを取得する音声データ取得手段と、前記音声データ取得手段が取得した音声データに基づく音声を前記音声出力部により出力する音声出力手段と、をさらに備えることを特徴とする。
【００２１】
この構成によれば、電子ペンの音声データ取得手段は、まず、記入情報取得手段が取得した記入情報に含まれるページアドレス及び座標データに基づいて、記入済ファイルサーバが記憶している対応テーブルを参照することで、対応する音声データを取得する。つまり、複数の音声データが付加された電子ペン用媒体であっても、当該電子ペン用媒体の任意の位置を電子ペンでタップ及び／又は記入することにより、ページアドレス及び座標データに基づいて対応テーブルを参照することで、当該位置に対応する音声データを取得することができる。音声出力手段は、音声データ取得手段が取得した音声データに基づく音声を音声出力部により出力する。これによれば、複数の音声データが付加された電子ペン用媒体であっても、電子ペンは記入及び又はタップすることで容易に、任意の位置に対応する音声データを出力することができる。
【００２２】
また、本発明に係るプログラムは、電子ペンにより認識可能なコード化パターンが印刷された電子ペン用媒体に記入された情報を処理する電子ペンにより実行されるプログラムであって、前記コード化パターン上における所定のページを識別するページアドレスと、所定のエリアのコード化パターン上における座標データとを対応付けた定義情報を記憶する情報記憶手段、前記電子ペン用媒体への記入内容に対応する記入情報を取得する記入情報取得手段、前記記入情報に含まれるページアドレス及び座標データに基づいて前記定義情報を参照することで前記エリアを認識するエリア認識手段、前記記入情報に基づいて、前記エリア認識手段が認識したエリアがタップされたか否かを判定するタップ判定手段、前記タップ判定手段による判定結果に基づいて、エリア定義情報ファイルを取得するファイル取得手段、として前記電子ペンを機能させることを特徴とする。
【００２３】
あるいは、別の発明に係るプログラムは、電子ペンにより認識可能なコード化パターンが印刷された電子ペン用媒体に記入された情報を処理する電子ペンにより実行されるプログラムであって、キー値を取得するキー取得手段、前記電子ペン用媒体への記入内容に対応する記入情報を取得する記入情報取得手段、前記記入情報に基づき、前記コード化パターン上においてメッセージが記入されたエリアをメッセージエリアに設定するメッセージエリア設定手段、前記キー取得手段が取得したキー値と、前記メッセージエリアに記入されたストロークデータと、前記メッセージエリアが設けられた前記コード化パターン上に置けるページを識別するページアドレスと、前記メッセージエリアを示す座標データとを含むストローク情報を送信するストローク情報送信手段、として前記電子ペンを機能させることを特徴とする。
【００２４】
本発明に係る端末装置は、電子ペンにより認識可能なコード化パターンが印刷された電子ペン用媒体に記入された情報を処理する端末装置であって、前記コード化パターン上における所定のページを識別するページアドレスと、所定のエリアのコード化パターン上における座標データとを対応付けた定義情報を記憶する情報記憶手段と、前記電子ペンから、前記電子ペン用媒体への記入内容に対応する記入情報を取得する記入情報取得手段と、前記記入情報に含まれるページアドレス及び座標データに基づいて前記定義情報を参照することで前記エリアを認識するエリア認識手段と、前記記入情報に基づいて、前記エリア認識手段が認識したエリアがタップされたか否かを判定するタップ判定手段と、前記タップ判定手段による判定結果に基づいて、エリア定義情報ファイルを取得するファイル取得手段と、を備えることを特徴とする。
【００２５】
この構成によれば、利用者が電子ペンにより電子ペン用媒体に記入及び／又はタップをすると、記入情報取得手段によって、端末装置は、電子ペン用媒体への記入及び／又はタップに対応する記入情報を取得する。タップとは、電子ペンにより電子ペン用媒体を軽く叩くことである。そして、エリア認識手段は、記入情報取得手段により取得された記入情報に含まれるページアドレス及び座標データに基づいて、情報記憶手段に記憶された定義情報を参照し、電子ペンにより記入及び／又はタップが行われたエリアを認識する。さらに、タップ判定手段は、記入情報に基づいて、エリア認識手段が認識したエリアへの記入及び／又はタップがタップであるか否かを判定する。ファイル取得手段は、タップ判定手段による判定結果に基づいて、エリア定義情報ファイルを取得する。つまり、エリア定義情報ファイルの取得に対応付けられたエリアが、電子ペンによりタップされた場合に、ファイル取得手段はエリア定義情報ファイルを取得する。これによれば、端末装置は、電子ペンにより所定のエリアをタップするだけで容易に、対応するユーザエリアが定義されていないエリア定義情報ファイルを取得することができる。
【００２６】
さらに、上記端末装置において、前記記入情報に基づいて、データ開始点及びデータ終了点を特定する開始終了点特定手段をさらに備え、前記タップ判定手段は、前記データ開始点及び前記データ終了点に基づく時間及び／又は距離により、前記エリア認識手段が認識したエリアがタップされたか否かを判定すると好適である。
【００２７】
このように構成された端末装置によれば、まず、開始終了点特定手段が記入情報に基づき、データ開始点及びデータ終了点を特定する。そして、タップ判定手段は、開始終了点特定手段により特定されたデータ開始点及びデータ終了点に基づく時間及び／又は距離により、エリア認識手段が認識したエリアがタップされたか否かを判定する。これによれば、タップ判定手段は、データ開始点及びデータ終了点に基づく時間及び／又は距離により、利用者の記入したストロークがタップであるか否かを判定し、文字や図柄と区別することが可能となる。
【００２８】
上記端末装置において、前記記入情報に基づき、前記コード化パターン上においてあて先が記入されたエリアをあて先エリアに設定するあて先エリア設定手段と、前記あて先エリアに記入されたストロークデータと、前記あて先エリアを示す座標データ及びページアドレスとを含むあて先情報を送信するあて先情報送信手段と、をさらに備えることを特徴とする。これによれば、あて先エリアに記入されたストロークデータと、当該あて先エリアを示す座標データ及びページアドレスとをあて先情報として所定のサーバ等で記憶しておくことができる。よって、端末装置は、電子ペンが記入及び／又はタップにより取得した記入情報に含まれる座標データ及びページアドレスに基づいて、容易に対応するあて先情報を認識することが可能となる。
【００２９】
上記端末装置において、前記記入情報に基づき、前記コード化パターンエリア上においてメッセージが記入されたエリアをメッセージエリアに設定するメッセージエリア設定手段と、前記メッセージエリアに記入されたストロークデータと、前記メッセージエリアを示す座標データ及びページアドレスとを含むストローク情報を送信するストローク情報送信手段と、をさらに備えることを特徴とする。これによれば、メッセージエリアに記入されたストロークデータと、メッセージエリアを示す座標データ及びページアドレスとをメッセージ情報として所定のサーバ等で記憶しておくことができる。よって、端末装置は、電子ペン用媒体上の任意の位置と、当該位置に記入されたメッセージとを対応付けて記憶・管理することができる。
【００３０】
上記端末装置において、前記端末装置は音声入力部を備え、前記メッセージエリアへの記入中に前記音声入力部により音声を入力する音声入力手段と、前記音声入力手段が入力した音声データと、前記メッセージエリアを示す座標データ及びページアドレスとを含む音声情報を送信する音声情報送信手段と、をさらに備えることを特徴とする。これによれば、メッセージエリアへの記入中に入力された音声データを、当該メッセージエリアを示す座標データ及びページアドレスに対応付けた音声情報として所定のサーバ等で記憶しておくことができる。よって、電子ペン用媒体上の任意の位置と、当該位置において入力された音声データとを対応付けて記憶・管理することができる。
【００３１】
上記端末装置において、前記ファイル取得手段が取得したエリア定義情報ファイルと、前記メッセージエリアを示す座標データおよびページアドレスとを含む記入済ファイル情報を送信する記入済ファイル情報送信手段と、をさらに備えることを特徴とする。これによれば、エリア定義情報ファイルと、メッセージエリアを示す座標データ及びページアドレスとを対応付けて所定のサーバ等で記憶しておくことができる。
【００３２】
上記端末装置において、前記端末装置は音声出力部を備え、前記記入情報取得手段が取得した記入情報に含まれるページアドレス及び座標データを送信する送信手段と、前記ページアドレス及び前記座標データに対応する音声データを取得する音声データ取得手段と、前記音声データ取得手段が取得した音声データに基づく音声を前記音声出力部より出力する音声出力手段と、をさらに備えることを特徴とする。
【００３３】
このように構成された端末装置において、音声データ取得手段は、記入情報取得手段が取得した記入情報に含まれるページアドレス及び座標データに対応する音声データを取得する。そして、音声出力手段は、音声データ取得手段が取得した音声データに基づく音声を音声出力部より出力する。これによれば、端末装置は、電子ペンにより電子ペン用媒体において任意の位置に記入及び／又はタップを行うと、当該位置に対応する音声データを取得し、音声を出力することができる。
【００３４】
本発明の別の観点では、電子ペンにより認識可能なコード化パターンが印刷された電子ペン用媒体に記入された情報を処理する端末装置であって、キー値を取得するキー取得手段と、前記電子ペンから前記電子ペン用媒体への記入内容に対応する記入情報を取得する記入情報取得手段と、前記記入情報に基づき、前記コード化パターン上においてメッセージが記入されたエリアをメッセージエリアに設定するメッセージエリア設定手段と、前記キー取得手段が取得したキー値と、前記メッセージエリアに記入されたストロークデータと、前記メッセージエリアが設けられた前記コード化パターン上に置けるページを識別するページアドレスと、前記メッセージエリアを示す座標データとを含むストローク情報を送信するストローク情報送信手段と、を備えることを特徴とする。
【００３５】
この構成によれば、端末装置は、まずキー値を取得する。また、利用者が電子ペンにより電子ペン用媒体に記入及び／又はタップをすると、記入情報取得手段によって、端末装置は、電子ペンから電子ペン用媒体への記入及び／又はタップに対応する記入情報を取得する。そして、メッセージエリア設定手段は、記入情報取得手段が取得した記入情報に基づいて、コード化パターン上においてメッセージが記入されたエリアをメッセージエリアに設定する。さらに、ストローク情報送信手段は、キー取得手段が取得したキー値と、メッセージエリアに記入されたストロークデータと、当該メッセージエリアを示すページアドレス及び座標データとを含むストローク情報を送信する。つまり、所定のサーバは、キー値と、メッセージエリアに記入されたストロークデータと、当該メッセージエリアを示すページアドレス及び座標データとを対応付けて記憶・管理することができる。
【００３６】
上記端末装置において、前記端末装置は音声入力部を備え、前記メッセージエリアへの記入中に前記音声入力部により音声を入力する音声入力手段と、前記キー取得手段が取得したキー値と、前記音声入力手段が入力した音声データと、前記メッセージエリアを示す座標データ及びページアドレスとを含む音声情報を送信する音声情報送信手段と、をさらに備えることを特徴とする。これによれば、メッセージエリアへの記入中に入力された音声データを、当該メッセージエリアを示す座標データ及びページアドレスと、キー値とに対応付けた音声情報として所定のサーバ等で記憶しておくことができる。よって、キー値と、電子ペン用媒体上の任意の位置と、当該位置において入力された音声データとを対応付けて記憶・管理することができる。
【００３７】
上記電子ペンにおいて、前記端末装置は、記入済ファイルサーバと通信可能に接続されており、前記キー値取得手段が取得したキー値に対応する前記ストローク情報を取得するストローク情報取得手段と、前記ストローク情報取得手段が取得したストローク情報に基づいて、新たなエリア定義情報ファイルを作成するファイル作成手段と、前記ファイル作成手段が作成したエリア定義情報ファイルと、前記メッセージエリアを示す座標データ及びページアドレスとを含む記入済ファイル情報を前記記入済ファイルサーバに送信する記入済ファイル情報送信手段と、をさらに備えることを特徴とする。
【００３８】
この構成によれば、端末装置は、まずキー値取得手段が取得したキー値に対応する１つ以上のストローク情報を取得し、ファイル作成手段により新たなエリア定義情報ファイルを作成する。そして、記入済ファイル情報送信手段は、ファイル作成手段が作成した新たなエリア定義情報ファイルと、メッセージエリアを示す座標データ及びページアドレスとを含む記入済ファイル情報を記入済ファイルサーバに送信する。これによれば、記入済ファイルサーバは、キー値が一致するエリア定義情報ファイルに基づいて作成した新たなエリア定義情報ファイルと、メッセージエリアを示す座標データ及びページアドレスとを対応付けたエリア定義情報ファイル情報を記憶・管理することができる。
【００３９】
上記端末装置において、前記記入済ファイルサーバは、前記記入済ファイル情報に基づいて作成され、前記メッセージエリアを示す座標データ及びページアドレスを対応付けた対応テーブルを記憶しており、前記端末装置は音声出力部を備え、前記記入情報取得手段が取得した記入情報に含まれるページアドレス及び座標データを送信する送信手段と、前記ページアドレス及び前記座標データに基づいて前記対応テーブルを参照することにより抽出された音声データを取得する音声データ取得手段と、前記音声データ取得手段が取得した音声データに基づく音声を前記音声出力部により出力する音声出力手段と、をさらに備えることを特徴とする。
【００４０】
この構成によれば、端末装置の音声データ取得手段は、まず、記入情報取得手段が電子ペンから取得した記入情報に含まれるページアドレス及び座標データに基づいて、記入済ファイルサーバが記憶している対応テーブルを参照することで、対応する音声データを取得する。つまり、複数の音声データが付加された電子ペン用媒体であっても、当該電子ペン用媒体の任意の位置を電子ペンでタップ及び／又は記入することにより、ページアドレス及び座標データに基づいて対応テーブルを参照することで、当該位置に対応する音声データを取得することができる。音声出力手段は、音声データ取得手段が取得した音声データに基づく音声を音声出力部により出力する。これによれば、複数の音声データが付加された電子ペン用媒体であっても、電子ペンは記入及び又はタップすることで容易に、任意の位置に対応する音声データを出力することができる。
【００４１】
また、本発明に係るプログラムは、電子ペンにより認識可能なコード化パターンが印刷された電子ペン用媒体に記入された情報を処理するコンピュータにより実行されるプログラムであって、前記コード化パターン上における所定のページを識別するページアドレスと、所定のエリアのコード化パターン上における座標データとを対応付けた定義情報を記憶する情報記憶手段と、前記電子ペンから、前記電子ペン用媒体への記入内容に対応する記入情報を取得する記入情報取得手段と、前記記入情報に含まれるページアドレス及び座標データに基づいて前記定義情報を参照することで前記エリアを認識するエリア認識手段と、前記記入情報に基づいて、前記エリア認識手段が認識したエリアがタップされたか否かを判定するタップ判定手段と、前記タップ判定手段による判定結果に基づいて、エリア定義情報ファイルを取得するファイル取得手段として前記コンピュータを機能させることを特徴とする。
【００４２】
あるいは、別の発明に係るプログラムは、電子ペンにより認識可能なコード化パターンが印刷された電子ペン用媒体に記入された情報を処理するコンピュータにより実行されるプログラムであって、キー値を取得するキー取得手段と、前記電子ペンから、前記電子ペン用媒体への記入内容に対応する記入情報を取得する記入情報取得手段と、前記記入情報に基づき、前記コード化パターン上においてメッセージが記入されたエリアをメッセージエリアに設定するメッセージエリア設定手段と、前記キー取得手段が取得したキー値と、前記メッセージエリアに記入されたストロークデータと、前記メッセージエリアが設けられた前記コード化パターン上に置けるページを識別するページアドレスと、前記メッセージエリアを示す座標データとを含むストローク情報を送信するストローク情報送信手段として前記コンピュータを機能させることを特徴とする。
【発明の効果】
【００４３】
本発明に係る電子ペン、端末装置及びそれらに用いられるプログラムによれば、電子ペンの電子ペン用媒体に対する記入内容に応じて、電子ペン用媒体上の任意の位置に任意の容量の音声情報を付加することができる。また、電子ペン用媒体に対する記入内容を自由に編集することができる。
【発明を実施するための最良の形態】
【００４４】
以下、図面を参照して本発明の好適な実施の形態について説明する。
【００４５】
本実施形態の情報処理システムは、図１及び図２に示すように、電子ペン８０と、専用ペーパー（電子ペン用媒体）２０と、端末装置８５と、ペン所有者サーバ９１と、ファイルサーバ９２と、あて先サーバ９３と、ストロークサーバ９４と、音声サーバ９５と、記入済ファイルサーバ９６と、キー配布サーバ９７とから構成される。端末装置８５、ペン所有者サーバ９１、ファイルサーバ９２、あて先サーバ９３、ストロークサーバ９４、音声サーバ９５、記入済ファイルサーバ９６及びキー配布サーバ９７は、ネットワーク２を介して通信可能に接続されている。ネットワーク２の好適な例はインターネットである。ここで、図１は電子ペン８０の使用形態を模式的に示す図であり、図２は電子ペン８０の構成を示すブロック図である。
【００４６】
専用ペーパー２０には、ドットパターン（コード化パターン）が印刷されている。電子ペン８０は、通常のインクペンと同様のペン先部１７を備えており、利用者が通常のインクペンと同様にペン先部１７によって専用ペーパー２０上に文字などを書くと、電子ペン８０は、ペン先部１７の移動軌跡に沿って、専用ペーパー２０に印刷されたドットパターンを局所的、連続的に読み取り、専用ペーパー２０におけるその局所位置の座標を算出し、その座標データ等に基づいて、入力文字を記憶したり、タップに応じた処理を行ったりする等、所定の処理を実行する。以下、各構成について詳細に説明する。
【００４７】
なお、端末装置８５は、ハードウェアとして、電子ペン８０とのデータ通信が可能なアンテナ装置、ＣＰＵ等のプロセッサ、ＲＯＭやＲＡＭといったメモリ、スピーカ、ディスプレイ等で構成される、ＰＣや携帯電話、或いは携帯端末である。
【００４８】
また、ペン所有者サーバ９１、ファイルサーバ９２、あて先サーバ９３、ストロークサーバ９４、音声サーバ９５、記入済ファイルサーバ９６及びキー配布サーバ９７は、端末装置８５や各サーバとのデータ通信が可能なアンテナ装置、ＣＰＵ等のプロセッサ、ＲＯＭやＲＡＭといったメモリ、スピーカ、ディスプレイ等で構成されるサーバである。
【００４９】
[ 専用ペーパー ]
まず、専用ペーパー２０について説明する。専用ペーパー２０は、用紙上にドットパターンが印刷され、さらにその上に罫線や記入枠などの図案や項目、文言、イラスト等が印刷されたものである。ドットパターンは、赤外線を吸収するカーボンを含んだインキにより印刷される。また、図案等は、カーボンを含まない通常のインキにより印刷される。ドットパターンと図案等とは用紙に対して同時に印刷してもよいし、どちらを先に印刷してもよい。
【００５０】
図３に、図案等が印刷された専用ペーパー２０の例を示す。図３（ａ）は帳票３１の例であり、図３（ｂ）はサービス選択パレット３２の例である。帳票３１は、電子ペン８０により所定のメッセージが記入されるものであって、図３（ａ）に示すように、対応するユーザエリアが定義されていないエリア定義情報ファイルを請求する請求処理が予め対応付けされた請求ボックス４１を有している。エリア定義情報ファイルとは、ページ毎のユーザエリアの定義情報、即ちユーザエリアと、当該ユーザエリアのドットパターン上の位置座標との関係性を示す情報である。よって、ユーザエリアが定義されていないエリア定義情報ファイルとは、定義がされていない空のファイルのことである。サービス選択パレット３２は、電子ペン８０によりチェックマークを記入することで利用者がサービスを選択するものであって、図３（ｂ）に示すように、「紙を郵送」、「メールで送信」、「寄書き」、「日記」及び「アルバム」といった各種サービスが印刷されており、各種サービスにそれぞれ対応付けられたボックスを有している。帳票３１及びサービス選択パレット３２には、それぞれ異なるドットパターンが印刷されており、ドットパターン上における所定のページを識別するページアドレスが割り当てられている。
【００５１】
本実施形態において、帳票３１には、図３（ａ）に示すようにページアドレス「１０．３０．６５．２」が割り当てられ、サービス選択パレット３２には、図３（ｂ）に示すようにページアドレス「１０．３０．２０．１」が割り当てられている。
【００５２】
メッセージを記入する利用者は、帳票３１を購入するとドットパターンを意識することなく、電子ペン８０を使用して、エリア定義情報ファイルを請求するために請求ボタン４１をタップ（電子ペン８０のペン先部１７の専用ペーパー（電子ペン用媒体２０）への軽叩）する。また、利用者は、利用したいサービスを選択し、サービス選択パレット３２において当該サービスに対応するボックスにチェックマークを記入する。そして、利用者は、電子ペン８０を使用して所定のメッセージやメッセージのあて先などを帳票３１に記入する。
【００５３】
また、メッセージが記入された帳票３１を受け取った利用者は、電子ペン８０を使用して、帳票３１上の任意の位置をタップする。
【００５４】
[ ドットパターン ]
続いて、ドットパターンについて説明する。図４は、専用ペーパー２０に印刷されたドットパターンのドットとそのドットが変換される値との関係を説明する図である。図４に示すように、ドットパターンの各ドットは、その位置によって所定の値に対応付けられている。すなわち、ドットの位置を格子の基準位置（縦線及び横線の交差点）から上下左右のどの方向にシフトされているかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、専用ペーパー２０上の位置座標が決定されるよう構成されている。
【００５５】
図５（ａ）は、あるドットパターンの配列を示している。図５（ａ）に示すように、縦横約２mmの範囲内に６×６個のドットが、専用ペーパー上のどの部分から６×６ドットを取ってもユニークなパターンとなるように配置されている。これら３６個のドットにより形成されるドットパターンは位置座標（例えば、そのドットパターンがその専用ペーパー上のどの位置にあるのか）を保持している。図５（ｂ）は、図５（ａ）に示す各ドットを、格子の基準位置からのシフト方向によって、図５に示す規則性に基づいて対応づけられた値に変換したものである。この変換は、ドットパターンの画像を撮影する電子ペン８０によって行われる。
【００５６】
[ 電子ペン ]
次に電子ペン８０について説明する。図２に示すように、電子ペン８０は、その内部にプロセッサ１１、メモリ１２、データ通信ユニット１３、バッテリー１４、ＬＥＤ１５、カメラ１６、圧力センサ１８、スピーカ（音声出力部）１９及びクロック２２を備える。また、電子ペン８０は通常のインクペンと同様の構成要素としてインクカートリッジ（図示せず）などを有する。
【００５７】
ＬＥＤ１５は、電子ペン８０のペン先付近に取り付けられており、専用ペーパー２０上のペン先部１７近傍（領域１５ａ）に向けて、赤外線を照明する（図１参照）。領域１５ａは、ペン先部１７が専用ペーパー２０に接触する位置とはわずかにずれている。カメラ１６は、ＬＥＤ１５によって照明された領域１５ａ内におけるドットパターンを撮影し、そのドットパターンの画像データをプロセッサ１１に供給する。ここで、カーボンは赤外線を吸収するため、ＬＥＤ１５によって照射された赤外線は、ドットの部分でドットに含まれるカーボンによって吸収される。そのため、ドットの部分は、赤外線の反射量が少なく、ドット以外の部分は赤外線の反射量が多い。したがって、カメラ１６の撮影により、赤外線の反射量の違いから、カーボンを含むドットの領域とそれ以外の領域を区別することができる。たとえ撮影領域に罫線や枠などが印刷されてあったとしても、罫線や枠などのインクには、カーボンが含まれていないため、ドットパターンを認識することができる。なお、カメラ１６による撮影領域は、図５（ａ）に示すような約２mm×約２mmの大きさを含む範囲であり、カメラ１６の撮影は、毎秒５０〜１００回程度行われる。
【００５８】
バッテリー１４は電子ペン８０内の各部品に電力を供給するためのものであり、例えば電子ペン８０のキャップ（図示せず）の脱着により電子ペン８０自体の電源のオン／オフを行うよう構成させてもよい。クロック２２は、現在時刻（タイムスタンプ）を発信し、プロセッサ１１に供給する。圧力センサ１８は、利用者が電子ペン８０により専用ペーパー２０上に文字などを書く際にペン先部１７に与えられる圧力、即ち筆圧を検出し、プロセッサ１１へ供給する。
【００５９】
プロセッサ１１は、圧力センサ１８から与えられる筆圧データに基づいて、ＬＥＤ１５及びカメラ１６のスイッチオン／オフの切換を行う。即ち、利用者が電子ペン８０で専用ペーパー２０上に文字などを書くと、ペン先部１７には筆圧がかかり、圧力センサ１８によって所定値以上の筆圧が検出されたときに、プロセッサ１１は、利用者が記入を開始したと判定して、ＬＥＤ１５及びカメラ１６を作動させる。
【００６０】
プロセッサ１１は、利用者の記入が行われる間、カメラ１６によって供給される画像データのドットパターンから、利用者が記入するストロークの専用ペーパー２０上でのＸ，Ｙ座標（単に「座標データ」とも呼ぶ）を連続的に算出していく。すなわち、プロセッサ１１は、カメラ１６によって供給される、図５（ａ）に示されるようなドットパターンの画像データを図５（ｂ）に示すデータ配列に変換し、さらに、Ｘ座標ビット値・Ｙ座標ビット値に変換して、そのデータ配列から所定の演算方法によりＸ，Ｙ座標データを算出する。そしてプロセッサ１１は、現在時刻（タイムスタンプ）を発信するクロック２２から時間情報を取得し、その時間情報と、筆圧データ及びＸ，Ｙ座標データとを関連付け、これらの情報を記入情報として取得する。さらに、プロセッサ１１は、記入情報に基づいて所定の処理を実行する。ここで、一枚の専用ペーパー（電子ペン用媒体）２０内の６×６のドットパターンは、その専用ペーパー２０内で重複することはないため、利用者が電子ペン８０で必要事項を記入したりタップしたりすると、その記入やタップが専用ペーパー２０のどのユーザエリアに対応するものであるかを、座標データから特定することができる。
【００６１】
メモリ１２には、プロセッサ１１によって記入情報が時系列で記憶されていく。また、詳細は後述するが、予め定義情報が記憶されている。メモリ１２の容量は例えば１Ｍバイト〜２Ｇバイト程度とすることができる。
【００６２】
スピーカ（音声出力部）１９は、プロセッサ１１による出力指示によって、専用ペーパー２０へのタップに応じた音声データを再生出力する。
【００６３】
マイク（音声入力部）２３は、プロセッサ１１による入力指示によって、専用ペーパー２０への記入時に利用者が発生した音声を音声データとして入力する。
【００６４】
データ通信ユニット１３は、近傍にある端末装置８５とデータの送受信を行う。データ通信ユニット１３による送信は、Bluetooth（登録商標）の無線送信によると好適である。なお、ＵＳＢケーブルを使用した有線送信、端子などの接触によるデータ送信など、他の方法によって、データ通信ユニット１３から端末装置８５へデータ送信を行ってもよい。
【００６５】
ここで、電子ペン８０及び各種サーバが有する機能について図６を参照して説明する。図６は、電子ペン８０及び各種サーバの主要な構成を示す機能ブロック図である。
【００６６】
まず、電子ペン８０が有する機能について説明する。電子ペン８０は、取得したＸ，Ｙ座標データ等の記入情報に基づいて、専用アプリケーション５０を実行することで所定の処理を行う。
【００６７】
図６に示すように、電子ペン８０は、機能的には、情報記憶手段１０１、記入情報取得手段１０２、エリア認識手段１０３、開始終了点特定手段１０４、タップ判定手段１０５、エリア設定手段１０６、ファイル作成手段１０７、音声入力手段１０８、音声出力手段１０９及びデータ通信手段１１０を備える。情報記憶手段１０１は、物理的には、ＲＯＭやＲＡＭといったメモリ１２によって構成され、記入情報取得手段１０２は、カメラ１６、クロック２２、プロセッサ１１等によって構成される。音声入力手段１０８は、マイク２３、プロセッサ１１等によって構成され、音声出力手段１０９は、スピーカ１９、プロセッサ１１等によって構成される。また、エリア認識手段１０３、開始終了点特定手段１０４、タップ判定手段１０５、エリア設定手段１０６及びファイル作成手段１０７は、ＣＰＵ等のプロセッサに組み込まれている。
【００６８】
なお、エリア設定手段１０６は、あて先エリア設定手段及びメッセージエリア設定手段を有している。また、データ通信手段１１０は、ファイル取得手段、あて先情報送信手段、ストローク情報送信手段、音声情報送信手段、記入済ファイル情報送信手段、座標データ送信手段、音声データ取得手段及びキー取得手段を有している。
【００６９】
情報記憶手段１０１は、定義情報を記憶するメモリ１２である。定義情報は、図７に示すように、ページアドレスと、エリアＩＤと、ドットパターン上におけるエリアの位置座標を示す座標データと、サービス内容とを対応付けた情報である。すなわち、情報記憶手段１０１には、ページアドレスと、エリアＩＤと、座標データと、サービス内容とを対応付けた定義情報が記憶されている。ページアドレス「１０．３０．６５．２」に関連して、エリアＩＤ「Ａ０１」、座標データ「（x11,y11）、H11、W11」及びサービス内容「ファイル請求」が記憶されている。また、ページアドレス「１０．３０．２０．１」に関連して、エリアＩＤ「Ａ０２」、座標データ「（x12,y12）、H12、W12」及びサービス内容「紙を郵送」が記憶されている。各エリアの座標データを構成するデータ (xn,yn)、Hn、Wnは、図８に示すように、それぞれ、ドットパターン上における各エリアの頂点Ｖ(xn,yn)の座標、Ｙ軸方向の高さ(Height)、Ｘ軸方向の幅(Width)を意味する。
【００７０】
ページアドレス「１０．３０．６５．２」で識別されるドットパターンが印刷されたものは帳票３１であり、座標データ「（x11,y11）、H11、W11」が示すエリアＩＤ「Ａ０１」は請求ボックス４１を表している。よって、定義情報では、ページアドレス「１０．３０．６５．２」に関連して、エリアＩＤ「Ａ０１」、座標データ「（x11,y11）、H11、W11」及びサービス内容「ファイル請求」が記憶されている。一方、ページアドレス「１０．３０．２０．１」で識別されるドットパターンが印刷されたものはサービス選択パレット３２であり、座標データ「（x12,y12）、H12、W12」が示すエリア「Ａ０２」はサービス「紙を郵送」に対応付けされたボックスを表している。よって、定義情報では、ページアドレス「１０．３０．２０．１」に関連して、エリアＩＤ「Ａ０２」、座標データ「（x12,y12）、H12、W12」及びサービス内容「紙を郵送」が記憶されている。
【００７１】
さらに、情報記憶手段１０１は、記入情報取得手段１０２によって取得された記入情報を時系列に記憶する。
【００７２】
記入情報取得手段１０２は、電子ペン８０による専用ペーパー（電子ペン用媒体）２０への記入内容に対応する記入情報を取得する手段である。記入情報取得手段１０２は、利用者の記入が行われる間、カメラ１６によって供給される、図５（ａ）に示されるようなドットパターンの画像データを図５（ｂ）に示すデータ配列に変換し、さらに、Ｘ座標ビット値・Ｙ座標ビット値に変換して、そのデータ配列から所定の演算方法によりＸ，Ｙ座標データとを関連付け、これらの情報を記入情報として取得する。記入情報には、タップ（電子ペン８０のペン先部１７の専用ペーパー２０への軽叩）、文字、記号、絵柄等を記入したときに取得する情報が含まれる。記入情報取得手段１０２は、帳票３１及びサービス選択パレット３２に記入されたメッセージやチェックマーク及びタップに対応する記入情報を取得する手段である。
【００７３】
エリア認識手段１０３は、記入情報に含まれるページアドレス及び座標データに基づいて、情報記憶手段１０１が記憶した定義情報（図７参照）を参照することにより、タップ又は記入が行われたユーザエリアを認識する。換言すると、タップ又は記入に基づく処理を実行するために、タップ又は記入が行われたユーザエリアを認識し、当該ユーザエリアに対応付けられたサービス内容を特定する。
【００７４】
開始終了点特定手段１０４は、記入情報取得手段１０１が取得した記入情報に含まれるストロークのデータ開始点及びデータ終了点を特定してタップ判定手段１０５へ伝達する。具体的に、開始終了点特定手段１０４は、データ開始点及びデータ終了点それぞれの位置座標を示す座標データと記入時刻を特定する。タップ判定手段１０５は、開始終了点特定手段１０４によって特定されたデータ開始点及びデータ終了点における時間及び／又は両点間の移動距離に基づいて、利用者により記入されたストロークがタップであるか否かを判定する。
【００７５】
具体的に、利用者により専用ペーパー（電子ペン用媒体）２０に記入されたストロークがタップであるか否かを判定するにあたっては３つの方法が挙げられる。第１の方法として、タップ判定手段１０５は、データ終了点の記入時刻とデータ開始点の記入時刻の差分を算出し、当該差分が予め設定された所定時間（例えば、０．２秒）未満である場合にストロークがタップであると判定する。別の第２の方法として、タップ判定手段１０５は、座標データに基づいてデータ開始点とデータ終了点との間の移動距離（筆記された線の長さ）を算出し、当該移動距離が予め設定された所定距離未満である場合にストロークがタップであると判定するようにしてもよい。あるいは第３の方法として、データ開始点とデータ終了点における時間及び移動距離の両方に条件を付けて、ストロークがタップであるか否かを判定するようにしてもよい。
【００７６】
エリア設定手段１０６は、あて先エリア設定手段及びメッセージエリア設定手段を有しており、記入情報取得手段１０２が取得した記入情報に基づいて、利用者による帳票３１への記入ストロークのドットパターン上での位置情報を演算し、ユーザエリアとして設定する。具体的には、エリア設定手段１０６は、記入情報に含まれるＸ，Ｙ情報よりＸ位置の最大値及び最小値、Ｙ位置の最大値及び最小値に基づいて、帳票３１への記入ストロークを内包するエリアを算出してユーザエリアの座標データとしてエリアＩＤを付与して、当該記入情報と対応付ける。座標データを構成するデータ（xn,yn）、Hn、Wnは、図８に示すように、それぞれドットパターン上における各エリアの頂点Ｖ（xn,yn）の座標、Ｙ軸方向の高さ(Height)、Ｘ軸方向の幅（Width）を意味する。あて先エリア設定手段は、ドットパターン上において電子ペン８０によりあて先が記入されたエリアをあて先エリアに設定する。メッセージエリア設定手段は、ドットパターン上において電子ペン８０によりメッセージが記入されたエリアをメッセージエリアに設定する。
【００７７】
ファイル作成手段１０７は、後述するキー値に基づいて、複数のエリア定義情報ファイルを１つに結合した新たなエリア定義情報ファイルを作成する。
【００７８】
音声入力手段１０８は、メッセージエリア設定手段が設定したメッセージエリアへの記入中に、音声入力部（マイク）２３により入力された音声データを取得する。
【００７９】
音声出力手段１０９は、後述する音声データ取得手段が取得した音声データを音声出力部（スピーカ）１９に再生出力させる。
【００８０】
データ通信手段１１０は、ファイル取得手段、あて先情報送信手段、ストローク情報送信手段、音声情報送信手段、記入済ファイル情報送信手段、座標データ送信手段、音声データ取得手段及びキー取得手段を有しており、端末装置８５とデータの送受信を行う。データ通信手段１１０は、電子ペン８０にインストールする専用アプリケーション５０等をダウンロードするために使用されてもよい。
【００８１】
ファイル取得手段は、エリア認識手段１０３及びタップ判定手段１０５により請求ボックス４１がタップされたと判定された場合に、所定の信号を発信し、ファイルサーバ９２から、対応するユーザエリアが定義されていない空のエリア定義情報ファイルを取得する。なお、空のエリア定義情報ファイルにはユーザエリアが定義されていないが、ページアドレスの情報は有している。
【００８２】
あて先情報送信手段は、記入情報取得手段１０２が取得した記入情報に基づいて、ペンＩＤと、あて先エリア設定手段が設定したあて先エリアに記入された記入情報とを含むあて先情報を、あて先サーバ９３に送信する。あて先情報には、少なくともあて先エリアに記入されたストロークデータと、あて先エリアを示す座標データ及びページアドレスとが含まれている。
【００８３】
ストローク情報送信手段は、記入情報取得手段１０２が取得した記入情報に基づいて、ペンＩＤと、メッセージエリア設定手段が設定したメッセージエリアに記入された記入情報とを含むストローク情報を、ストロークサーバ９４に送信する。ストローク情報には、少なくともメッセージエリアに記入されたストロークデータと、メッセージエリアを示す座標データ及びページアドレスとが含まれている。
【００８４】
音声情報送信手段は、ペンＩＤと、メッセージエリアへの記入時刻を示す時間情報と、当該メッセージエリアを示す座標データ及びページアドレスと、音声入力手段１０８が取得した音声データとを含む音声情報を、音声サーバ９５に送信する。
【００８５】
記入済ファイル情報送信手段は、ペンＩＤと、ファイル取得手段が取得した空のエリア定義情報ファイルと、メッセージエリア設定手段が設定したメッセージエリアを示す座標データ及びページアドレスとを含む記入済ファイル情報を、記入済ファイルサーバ９６に送信する。換言すると、メッセージエリアと、当該メッセージエリアを示す座標データは、ここで空のエリア定義情報ファイルに書き込まれる。
【００８６】
座標データ送信手段は、記入情報取得手段１０２が取得した記入情報に含まれるページアドレス及び座標データを、記入済ファイルサーバ９６へ送信する。
【００８７】
音声データ取得手段は、座標データ送信手段が送信したページアドレス及び座標データに対応する音声データを、音声サーバ９５から取得する。
【００８８】
キー取得手段は、キー配布サーバ９７からキー値を取得する。
【００８９】
次に、各種サーバが有する機能について説明する。
【００９０】
ペン所有者サーバ９１は、機能的には、情報記憶手段１１１及びデータ通信手段１１２を備える。データ通信手段１１２は、端末装置８５を通してペンＩＤ及びペン所有者の氏名、年齢、住所といったペン所有者情報を取得する。情報記憶手段１１１は、ペンＩＤに関連付けてペン所有者情報を記憶する。また、データ通信手段１１２は、必要に応じてペン所有者情報を端末装置８５や各種サーバへ送信する。ペン所有者サーバ９１は、専用アプリケーション５１を実行することで所定の処理を行う。
【００９１】
ファイルサーバ９２は、機能的には、情報記憶手段１２１及びデータ通信手段１２２を備える。情報記憶手段１２１は、対応するユーザエリアが定義されていない空のエリア定義情報ファイルを記憶している。データ通信手段１２２は、端末装置８５を介して電子ペン８０から所定の信号を取得した場合に、情報記憶手段１２１に記憶している空のエリア定義情報ファイルを当該電子ペン８０に送信する。ファイルサーバ９２は、専用アプリケーション５２を実行することで所定の処理を行う。
【００９２】
あて先サーバ９３は、機能的には、情報記憶手段１３１及びデータ通信手段１３２を備える。データ通信手段１３２は、端末装置８５を介して電子ペン８０から、ペンＩＤと、あて先エリアに記入された記入情報とを含むあて先情報を取得する。情報記憶手段１３１は、ペンＩＤ、記入情報に含まれるページアドレス及び座標データに関連付けてあて先エリアに記入されたストロークデータを記憶する。このとき情報記憶手段１３１は、記入情報に含まれるストロークデータを記憶してもよいし、当該記入情報に基づいてＨＷＲやＯＣＲ等による文字認識処理を実行することで認識した文字列を記憶してもよい。また、データ通信手段１１２は、必要に応じてあて先エリアに記入されたストロークデータや文字列を端末装置８５や各種サーバへ送信する。なお、あて先サーバ９３は、予めＨＷＲやＯＣＲ等による文字認識処理を実行可能な文字認識エンジンを搭載しているものとする。あて先サーバ９３は、専用アプリケーション５３を実行することで所定の処理を行う。
【００９３】
ストロークサーバ９４は、機能的には、情報記憶手段１４１及びデータ通信手段１４２を備える。データ通信手段１４２は、端末装置８５を介して電子ペン８０から、ペンＩＤと、メッセージエリアに記入された記入情報とを含むストローク情報を取得する。情報記憶手段１４１は、ペンＩＤ、記入情報に含まれる時間情報、筆圧データ、ページアドレス及び座標データに関連付けてメッセージエリアに記入されたストロークデータを記憶する。また、データ通信手段１４２は、必要に応じてメッセージエリアに記入されたストロークデータを端末装置８５や各種サーバへ送信する。ストロークサーバ９４は、専用アプリケーション５４を実行することで所定の処理を行う。
【００９４】
音声サーバ９５は、機能的には、情報記憶手段１５１及びデータ通信手段１５２を備える。データ通信手段１５２は、端末装置８５を介して電子ペン８０から、ペンＩＤと、メッセージエリアへの記入時刻を示す時間情報と、メッセージエリアを示すページアドレス及び座標データと、音声データとを含む音声情報を取得する。情報記憶手段１５１は、ペンＩＤ、時間情報、ページアドレス及び座標データに関連付けて音声データを記憶する。また、データ通信手段１５２は、必要に応じて音声データを端末装置８５や各種サーバへ送信する。音声サーバ９５は、専用アプリケーション５５を実行することで所定の処理を行う。
【００９５】
記入済ファイルサーバ９６は、機能的には、情報記憶手段１６１及びデータ通信手段１６２を備える。データ通信手段１６２は、端末装置８５を介して電子ペン８０から、ペンＩＤと、メッセージエリアを示す座標データ及びページアドレスと、エリア定義情報ファイルとを含む記入済ファイル情報を取得する。情報記憶手段１６１は、ペンＩＤ、座標データ及びページアドレスに関連付けてエリア定義情報ファイルを記憶する。なお、座標データ及びページアドレスはエリア定義情報ファイルに書き込まれている。また、データ通信手段１６２は、必要に応じてエリア定義情報ファイルを端末装置８５や各種サーバへ送信する。記入済ファイルサーバ９６は、専用アプリケーション５６を実行することで所定の処理を行う。
【００９６】
キー配布サーバ９７は、機能的には、情報記憶手段１７１及びデータ通信手段１７２を備える。データ通信手段１７２は、端末装置８５を通じてあて先、記入期限及びキー配布者のペンＩＤといいったキー配布者に関する情報を取得する。情報記憶手段１７１は、あて先、記入期限及びキー配布者のペンＩＤに関連付けて識別可能なキー値を記憶する。また、データ通信手段１７２は、端末装置８５を介してキー配布者のペンＩＤが示す電子ペン８０へ当該キー値を送信する。キー配布サーバ９７は、専用アプリケーション５７を実行することで所定の処理を行う。
【００９７】
電子ペン８０及び各種サーバは、専用アプリケーションがインストールされることにより、上述の各手段が構成される。
【００９８】
[ 専用アプリケーション ]
次に、専用アプリケーションについて図９を参照して説明する。図９は、専用アプリケーションのモジュール構成を示す。
【００９９】
まず、電子ペン８０にインストールされている専用アプリケーション５０について説明する。専用アプリケーション５０は、電子ペン８０が専用ペーパー２０に記入した内容に対応するデジタルデータである記入情報に基づいて所定の処理を実行するものであって、ダウンロード等により予め電子ペン８０にインストールされている。専用アプリケーション５０は、原則として専用ペーパー２０に対応付けられている。つまり、専用ペーパー２０の種類が異なれば、その種類に応じて各専用ペーパー２０に記入されたデータを処理する専用アプリケーション５０は異なる。しかし、専用ペーパー２０と専用アプリケーションの対応は必ずしも１対１である必要はなく、複数種類の専用ペーパー２０に１つの専用アプリケーションを対応付けてデータを処理させてもよい。また、１種類の専用ペーパー２０に複数の専用アプリケーションを対応付けてデータを処理させてもよい。
【０１００】
図９に示すように、専用アプリケーション５０は、情報記憶モジュール２０１、記入情報取得モジュール２０２、エリア認識モジュール２０３、開始終了点特定モジュール２０４、タップ判定モジュール２０５、エリア設定モジュール２０６、ファイル作成モジュール２０７、音声入力モジュール２０８、音声出力モジュール２０９及びデータ通信モジュール２１０を有する。
【０１０１】
情報記憶モジュール２０１は、情報記憶手段１０１に対して、図７に示す定義情報を記憶させるモジュールである。また、情報記憶モジュール２０１は、情報記憶手段１０１に対して、記入情報取得モジュール２０２が取得した記入情報を時系列に記憶させる。
【０１０２】
記入情報取得モジュール２０２は、記入情報取得手段１０２を用いて、専用ペーパー（電子ペン用媒体）２０への電子ペン８０による記入に対応する記入情報（タップ情報を含む）を取得する機能を有するモジュールである。記入情報取得モジュール２０２は、帳票３１に記入されたメッセージやサービス選択パレット３２に記入されたチェックマークに対応する記入情報を取得する。
【０１０３】
エリア認識モジュール２０３は、記入情報取得モジュール２０２の実行によって取得された記入情報に含まれるページアドレス及び座標データに基づいて情報記憶手段１０１に記憶されている定義情報（図７参照）を参照することにより、記入が行われたユーザエリアを認識するモジュールである。また、エリア認識モジュール２０３は、当該認識した情報を情報記憶手段１０１に一時記憶させるとともに開始終了点特定手段１０４へ伝達する機能を有し、電子ペン８０にエリア認識手段１０３を構成させる。
【０１０４】
開始終了点特定モジュール２０４は、記入情報取得モジュール２０２の実行によって取得された記入情報に含まれるストロークのデータ開始点及びデータ終了点それぞれの座標データ及び記入時刻と特定してタップ判定手段１０５へ伝達する機能を有し、電子ペン８０に開始終了点特定手段１０４を構成させるモジュールである。
【０１０５】
タップ判定モジュール２０５は、開始終了点特定モジュール２０４の実行により特定されたデータ開始点及びデータ終了点における時間及び／又は両点間の移動距離に基づいて、利用者により帳票３１に記入されたストロークがタップであるか否かを判定する機能を有し、電子ペン８０にタップ判定手段１０５を構成させるモジュールである。
【０１０６】
エリア設定モジュール２０６は、情報記憶手段１０１に記憶された記入情報に基づいて、利用者による帳票３１への記入ストロークを内包するエリアを算出してユーザエリアの座標データとし、エリアＩＤを付与して当該記入情報と対応付ける機能を有し、電子ペン８０にあて先エリア設定手段及びメッセージエリア設定手段を構成させるモジュールである。
【０１０７】
ファイル作成モジュール２０７は、データ通信手段１１０が取得したキー値に基づいて、複数のエリア定義情報ファイルを１つに結合した新たなエリア定義情報ファイルを作成する機能を有し、電子ペン８０にファイル作成手段１０７を構成させるモジュールである。
【０１０８】
音声入力モジュール２０８は、メッセージエリア設定手段が設定したメッセージエリアへの記入中に、音声入力部（マイク）２３により入力された音声データを取得する機能を有し、電子ペン８０に音声入力手段１０８を構成させるモジュールである。
【０１０９】
音声出力モジュール２０９は、音声データ取得手段が取得した音声データを音声出力部（スピーカ）１９に再生出力させる機能を有し、電子ペン８０に音声出力手段１０９を構成させるモジュールである。
【０１１０】
データ通信モジュール２１０は、端末装置８５とデータの送受信を行う機能を有し、電子ペン８０にファイル取得手段、あて先情報送信手段、ストローク情報送信手段、音声情報送信手段、記入済ファイル情報送信手段、座標データ送信手段、音声データ取得手段及びキー取得手段を構成させるモジュールである。
【０１１１】
次に、各種サーバにインストールされている専用アプリケーションについて説明する。
【０１１２】
ペン所有者サーバ９１にインストールされている専用アプリケーション５１は、情報記憶モジュール２１１及びデータ通信モジュール２１２を有する。情報記憶モジュール２１１は、ペンＩＤに関連付けてペン所有者情報を記憶する機能を有し、ペン所有者サーバ９１に情報記憶手段１１１を構成させるモジュールである。データ通信モジュール２１２は、端末装置８５を通してペン所有者情報を取得する機能を有し、ペン所有者サーバ９１にデータ通信手段１１２を構成させるモジュールである。
【０１１３】
ファイルサーバ９２にインストールされている専用アプリケーション５２は、情報記憶モジュール２２１及びデータ通信モジュール２２２を有する。情報記憶モジュール２２１は、対応するユーザエリアが定義されていないエリア定義情報ファイルを記憶する機能を有し、ファイルサーバ９２に情報記憶手段１２１を構成させるモジュールである。データ通信モジュール２２２は、端末装置８５を介して電子ペン８０から所定の信号を取得した場合に、情報記憶手段１２１に記憶しているエリア定義情報ファイルを当該電子ペン８０に送信する機能を有し、ファイルサーバ９１にデータ通信手段１２２を構成させるモジュールである。
【０１１４】
あて先サーバ９３にインストールされている専用アプリケーション５３は、情報記憶モジュール２３１及びデータ通信モジュール２３２を有する。情報記憶モジュール２３１は、ペンＩＤ、データ通信手段１３２が取得した記入情報に含まれるページアドレス及び座標データに関連付けてあて先エリアに記入されたストロークデータを記憶する機能を有し、あて先サーバ９３に情報記憶手段１３１を構成させるモジュールである。データ通信モジュール２３２は、端末装置８５を介して電子ペン８０から、ペンＩＤと、あて先エリアに記入された記入情報とを含むあて先情報を取得する機能を有するほか、必要に応じてあて先エリアに記入されたストロークデータや文字列を端末装置８５や各種サーバへ送信する機能を有し、あて先サーバ９３にデータ通信手段１３２を構成させるモジュールである。
【０１１５】
ストロークサーバ９４にインストールされている専用アプリケーション５４は、情報記憶モジュール２４１及びデータ通信モジュール２４２を有する。情報記憶モジュール２４１は、ペンＩＤ、データ通信手段１４２が取得した記入情報に含まれる時間情報、筆圧データ、ページアドレス及び座標データに関連付けてメッセージエリアに記入されたストロークデータを記憶する機能を有し、ストロークサーバ９４に情報記憶手段１４２を構成させるモジュールである。データ通信モジュール２１２は、端末装置８５を介して電子ペン８０から、ペンＩＤと、メッセージエリアに記入された記入情報とを含むストローク情報を取得する機能を有するほか、必要に応じてメッセージエリアに記入されたストロークデータを端末装置８５や各種サーバへ送信する機能を有し、ストロークサーバ９４にデータ通信手段１４２を構成させるモジュールである。
【０１１６】
音声サーバ９５にインストールされている専用アプリケーション５５は、情報記憶モジュール２５１及びデータ通信モジュール２５２を有する。情報記憶モジュール２５１は、データ通信手段１５２が取得した音声情報に基づき、ペンＩＤ、時間情報、ページアドレス及び座標データに関連付けて音声データを記憶する機能を有し、音声サーバ９５に情報記憶手段１５１を構成させるモジュールである。データ通信モジュール２５２は、端末装置８５を介して電子ペン８０から、ペンＩＤと、メッセージエリアへの記入時刻を示す時間情報と、メッセージエリアを示すページアドレス及び座標データと、音声データとを含む音声情報を取得する機能を有するほか、必要に応じて音声データを端末装置８５や各種サーバへ送信する機能を有し、音声サーバ９５にデータ通信手段１５２を構成させるモジュールである。
【０１１７】
記入済ファイルサーバ９６にインストールされている専用アプリケーション５６は、情報記憶モジュール２６１及びデータ通信モジュール２６２を有する。情報記憶モジュール２６１は、データ通信手段１６２が取得した記入済ファイル情報に基づき、ペンＩＤ、座標データ及びページアドレスに関連付けてエリア定義情報ファイルを記憶する機能を有し、記入済ファイルサーバ９６に情報記憶手段１６１を構成させるモジュールである。データ通信モジュール２６２は、端末装置８５を介して電子ペン８０から、ペンＩＤと、メッセージエリアを示す座標データ及びページアドレスと、エリア定義情報ファイルとを含む記入済ファイル情報を取得する機能を有するほか、必要に応じてエリア定義情報ファイルを端末装置８５や各種サーバへ送信する機能を有し、記入済ファイルサーバ９６にデータ通信手段１６２を構成させるモジュールである。
【０１１８】
キー配布サーバ９７にインストールされている専用アプリケーション５７は、情報記憶モジュール２７１及びデータ通信モジュール２７２を備える。情報記憶モジュール２７１は、データ通信手段１７２が取得した情報に基づいて、あて先、記入期限及びキー配布者のペンＩＤに関連付けて識別可能なキー値を記憶する機能を有し、キー配布サーバ９７に情報記憶手段１７１を構成させるモジュールである。データ通信モジュール２７２は、端末装置８５を通じてあて先、記入期限及びキー配布者のペンＩＤといったキー配布者に関する情報を取得する機能を有するほか、端末装置８５を介してキー配布者のペンＩＤが示す電子ペン８０へ当該キー値を送信する機能を有し、キー配布サーバ９７にデータ通信手段１７２を構成させるモジュールである。
【０１１９】
[ 本情報処理システムによる処理フロー ]
まず、本実施形態の情報処理システムにより行われるファイル取得処理フローについて図１０乃至図１２を参照して説明する。図１０はペン所有者情報の登録を説明する図であり、図１１はエリア定義情報ファイルの取得を説明する図である。図１２は、ファイル取得処理のフローチャートである。
【０１２０】
電子ペン８０を購入した利用者は、図１０に示すように、端末装置８５を使用して、ペンＩＤ及びペン所有者の氏名、年齢、住所といったペン所有者情報をペン所有者サーバ９１へ送信する。ペン所有者サーバ９１は、データ通信手段１１２によって端末装置８５から情報を取得し、ペンＩＤに関連付けてペン所有者情報を情報記憶手段１１１に記憶することでペン所有者情報の登録を行う。
【０１２１】
サービスを利用する利用者は、ドットパターンが印刷されている帳票３１及びサービス選択パレット３２を購入する。なお、本実施形態において、利用者間で手書きのメッセージをやりとりするサービスは、利用者「田中太郎」が利用者「清水次郎」に手書きのメッセージを送るものとする。
【０１２２】
田中太郎は、図１１に示すように、ページアドレス「１０．３０．６５．２」の帳票３１ａ及びページアドレス「１０．３０．２０．１」のサービス選択パレット３２ａを購入する。そして、田中太郎は、電子ペン８０ａのペン先部１７により、帳票３１ａ上に設けられた請求ボックス４１をタップする。すると、電子ペン８０ａは、記入情報取得手段１０２によって、帳票３１ａへのタップに対応する座標データ、ページアドレス、時間情報及び筆圧データを記入情報として取得し、情報記憶手段１０１に記憶するとともにエリア認識手段１０３へ伝達する（ステップＳ１）。続いて、エリア認識手段１０３は、記入情報に含まれるページアドレス及び座標データに基づいて、情報記憶手段１０１に記憶された定義情報を参照することで、対応するユーザエリア（エリアＩＤ「Ａ０１」、サービス内容「ファイル請求」）を認識する（ステップＳ２）。エリア認識手段１０３は、認識したユーザエリアがエリアＩＤ「Ａ０１」、サービス内容「ファイル請求」の請求ボックス４１であると判定した場合（ステップＳ３；イエス）、認識した情報を情報記憶手段１０１に一時記憶させるとともに開始終了点特定手段１０４へ伝達する。一方、エリア認識手段１０３は、認識したユーザエリアが請求ボックス４１ではないと判定した場合（ステップＳ３；ノー）、ファイル取得処理を終了する。
【０１２３】
開始終了点特定手段１０４は、記入情報取得手段１０２によって取得された記入情報に含まれるストロークのデータ開始点及びデータ終了点それぞれにおける座標データ及び記入時刻を特定して、タップ判定手段１０５へ伝達する（ステップＳ４）。続いて、タップ判定手段１０５は、データ開始点及びデータ終了点における時間及び／又は両点間の移動距離に基づいて、エリア認識手段１０３により認識されたユーザエリア、即ち請求ボックス４１へのタップが行われたか否かを判定する（ステップＳ５）。タップ判定手段１０５により請求ボックス４１へのタップが行われていないと判定された場合（ステップＳ５；ノー）、ファイル取得処理を終了する。一方、タップ判定手段１０５により請求ボックス４１へのタップが行われたと判定された場合（ステップＳ５；イエス）、データ通信手段１１０はエリア定義情報ファイルを請求する所定の信号をファイルサーバ９２へ送信する（ステップＳ６）。ファイルサーバ９２は、当該信号を取得すると、対応するユーザエリアが定義されていない空のエリア定義情報ファイル（１０．３２．６５．０２．ｐａｄ）を情報記憶手段１２１から抽出し、データ通信手段１２２により電子ペン８０へ送信する（ステップＳ７）。電子ペン８０は、ファイル取得手段により空のエリア定義情報ファイルを取得し、ファイル取得処理を完了する（ステップＳ８）。
【０１２４】
続いて、本実施形態の情報処理システムにより行われるサービス特定処理フローについて図１１及び図１３を参照して説明する。図１３は、サービス特定処理のフローチャートである。
【０１２５】
田中太郎は、図１１に示すように、電子ペン８０ａのペン先部１７により、サービス選択パレット３２ａ上に設けられたボックスの中から、自身が利用したいサービスに対応するものにチェックマークを記入する。すると、電子ペン８０ａは、記入情報取得手段１０２によって、サービス選択パレット３２ａへの記入に対応する座標データ、ページアドレス、時間情報及び筆圧データを記入情報として取得し、情報記憶手段１０１に記憶するとともにエリア認識手段１０３へ伝達する（ステップＳ１１）。続いて、エリア認識手段１０３は、記入情報に含まれるページアドレス及び座標データに基づいて、情報記憶手段１０１に記憶された定義情報を参照することで、対応するユーザエリア（エリアＩＤ「Ａ０２」、サービス内容「紙を郵送」）を認識する（ステップＳ１２）。このようにして、エリア認識手段１０３は、田中太郎が利用するサービス内容「紙を郵送」を特定し、サービス特定処理を完了する（ステップＳ１３）。
【０１２６】
続いて、本実施形態の情報処理システムにより行われる登録処理フローについて図１４及び図１５を参照して説明する。図１４は、あて先情報、ストローク情報、音声情報及びエリア定義情報ファイルの登録を説明する図である。図１５は、登録処理のフローチャートである。
【０１２７】
田中太郎は、図１４に示すように、電子ペン８０ａのペン先部１７により、帳票３１ａにあて先「清水次郎」及びメッセージ「結婚おめでとう、幸せにね」を記入する。また、メッセージを記入する際に電子ペン８０ａの音声入力部（マイク）２３にむかって、音声「いろいろ喧嘩もしたそうだけどとにかくめでたい」を吹き込む。すると、電子ペン８０ａは、記入情報取得手段１０２によって、帳票３１ａへの記入に対応する座標データ、ページアドレス、時間情報及び筆圧データを記入情報として取得し、情報記憶手段１０１に記憶させるとともにエリア設定手段１０６へ伝達する（ステップＳ２０）。また、電子ペン８０ａは、音声入力手段１０８によって、メッセージを記入する際に吹き込まれた音声を音声データとして取得し、情報記憶手段１０１に記憶するとともに音声情報送信手段へ伝達する（ステップＳ２１）。
【０１２８】
エリア設定手段１０６のあて先エリア設定手段は、情報記憶手段１０１に記憶されている帳票３１ａへの記入に対応する記入情報に基づいて、あて先の記入に対応する記入ストロークの帳票３１ａ上での位置情報を演算し、当該記入ストロークを内包するエリアの座標データ「（xn,yn）、Hn、Wn」を算出してユーザエリアとしてエリアＩＤを付与し、当該記入情報と対応付けるとともにあて先情報送信手段へ伝達する。即ち、あて先エリアを設定する。さらに、メッセージエリア設定手段は、メッセージの記入に対応する記入ストロークの帳票３１ａ上での位置情報を演算し、当該記入ストロークを内包するエリアの座標データを算出してユーザエリアとしてエリアＩＤを付与し、当該記入情報と対応付けるとともにストローク情報送信手段に伝達する。即ち、メッセージエリアを設定する（ステップＳ２２）。
【０１２９】
あて先情報送信手段は、記入情報取得手段１０２が取得した記入情報に基づいて、ペンＩＤと、あて先エリアを示すページアドレス及び座標データと、あて先エリアに記入された記入情報とを含むあて先情報を、あて先サーバ９３に送信する（ステップＳ２３）。あて先サーバ９３は、図１４に示すように、データ通信手段１３２によりあて先情報を取得し、あて先情報に基づいて情報記憶手段１３１によりペンＩＤ、あて先エリアを示すページアドレス及び座標データに関連付けて当てあて先エリアに記入されたストロークデータを記憶する。即ち、あて先サーバ９３は、情報記憶手段１３１にあて先情報を登録する（ステップＳ２４）。
【０１３０】
ストローク情報送信手段は、記入情報取得手段１０２が取得した記入情報に基づいて、ペンＩＤと、メッセージエリアを示すページアドレス及び座標データと、メッセージエリアに記入された記入情報とを含むストローク情報を、ストロークサーバ９４に送信する（ステップＳ２５）。ストロークサーバ９４は、図１４に示すように、データ通信手段１４２によりストローク情報を取得し、ストローク情報に基づいて情報記憶手段１４１によりペンＩＤ、記入情報に含まれる時間情報、筆圧データ、メッセージエリアを示すページアドレス及び座標データに関連付けてメッセージエリアに記入されたストロークデータを記憶する。即ち、ストロークサーバ９４は、情報記憶手段１４１にストローク情報を登録する（ステップＳ２６）。
【０１３１】
音声情報送信手段は、記入情報取得手段１０２が取得した記入情報に基づいて、ペンＩＤと、メッセージエリアへの記入時刻を示す時間情報と、当該メッセージエリアを示す座標データ及びページアドレスと、音声入力手段１０８が取得した音声データとを含む音声情報を、音声サーバ９５に送信する（ステップＳ２７）。音声サーバ９５は、図１４に示すように、データ通信手段１５２により音声情報を取得し、音声情報に基づいて情報記憶手段１５１によりペンＩＤ、時間情報、ページアドレス及び座標データに関連付けて音声データを記憶する。即ち、音声サーバ９５は、情報記憶手段１５１に音声情報を登録する（ステップＳ２８）。
【０１３２】
そして、記入済ファイル情報送信手段は、ペンＩＤと、ファイル取得手段が取得した空のエリア定義情報ファイル（１０．３２．６５．０２．ｐａｄ）と、メッセージエリア設定手段が設定したメッセージエリアを示す座標データ及びページアドレスとを含む記入済ファイル情報を、記入済ファイルサーバ９６に送信する（ステップＳ２９）。ここで、メッセージエリアと、当該メッセージエリアを示す座標データとが空のエリア定義情報ファイルに書き込まれる。記入済ファイルサーバ９６は、図１４に示すように、データ通信手段１６２により記入済ファイル情報を取得し、記入済ファイル情報に基づいて情報記憶手段１６１によりペンＩＤ、座標データ及びページアドレスに関連付けてエリア定義情報ファイルを記憶する。即ち、記入済ファイル情報送信手段は、情報記憶手段１６１にエリア定義情報ファイルを登録する（ステップＳ３０）。なお、座標データ及びページアドレスは、エリア定義情報ファイルに書き込まれている。これにより、登録処理は完了する。
【０１３３】
続いて、本実施形態の情報処理システムにより行われる第１出力処理フローについて図１６及び図１７を参照して説明する。図１６は、紙で郵送するサービスにおける出力処理を説明する図である。図１７は、第１出力処理のフローチャートである。
【０１３４】
サービス特定処理において、エリア認識手段１０３がサービス内容「紙を郵送」に対応するユーザエリアを認識した場合、田中太郎により記入された帳票３１ａは、図１６に示すように、あて先情報が有するあて先に郵送される。
【０１３５】
あて先である清水次郎は、図１６に示すように、自身が所有する電子ペン８０ｂのペン先部１７により、郵送されてきた帳票３１ａをタップする。すると、電子ペン８０ｂは、記入情報取得手段１０２によって、帳票３１ａへのタップに対応する座標データ、ページアドレス、時間情報及び筆圧データを記入情報として取得し、情報記憶手段１０１に記憶する（ステップＳ３１）。続いて、データ通信手段１１０の座標データ送信手段は、記入情報に含まれるページアドレス及び座標データを音声サーバ９５へ送信する（ステップＳ３２）。
【０１３６】
音声サーバ９５のデータ通信手段１５２は、電子ペン８０ｂの座標データ送信手段からページアドレス及び座標データを取得する（ステップＳ３３）。音声サーバ９５は、データ通信手段１５２が取得したページアドレス及び座標データに基づいて、情報記憶手段１５１から対応する音声データを抽出する（ステップＳ３４）。そして、データ通信手段１５２は、抽出した音声データを電子ペン８０ｂへ送信する（ステップＳ３５）。
【０１３７】
電子ペン８０ｂの音声データ取得手段は、音声サーバ９５のデータ通信手段１５２から音声データを取得する（ステップＳ３６）。音声出力手段１０９は、音声データ取得手段が取得した音声データに基づいて音声を出力する（ステップＳ３７）。即ち、あて先である清水次郎がタップした帳票３１ａの特定のユーザエリアに対応する音声を出力する。これにより、第１音声出力処理は完了する。
【０１３８】
さらに、本実施形態の情報処理システムにより行われる第２出力処理フローについて図１８及び図１９を参照して説明する。図１８は、メールで送信するサービスにおける出力処理を説明する図である。図１９は、第２出力処理のフローチャートである。
【０１３９】
サービス特定処理において、エリア認識手段１０３がサービス内容「メールで送信」に対応するユーザエリアを認識した場合、メールサーバは、記入済ファイルサーバ９６に基づいて、ストロークサーバ９４に登録したストローク情報を参照する（ステップＳ４１）。また、メールサーバは、記入済ファイルサーバ９６に基づいて、音声サーバ９５に登録した音声情報を参照する（ステップＳ４２）。さらに、メールサーバは、記入済ファイルサーバ９６に基づいて、あて先サーバ９３に登録したあて先情報を参照する（ステップＳ４３）。そして、メールサーバは、あて先情報に基づいて、ストローク情報及び音声情報を、図１８に示すように、あて先である清水次郎が所有する端末装置８５ｂへメールにて送信する（ステップＳ４４）。
【０１４０】
清水次郎は、自身が所有する端末装置８５ｂにてメールを受信し、開封する（ステップＳ４５）。端末装置８５ｂは、メールにて受信したストローク情報及び音声情報に基づいて画像及び音声を出力する（ステップＳ４６）。これにより、第２音声出力処理は完了する。
【０１４１】
ここで、本実施形態の情報処理システムにより行われるキー配布処理フローについて図２０及び２１を参照して説明する。図２０は、サービス内容「寄書き」におけるキーの配布を説明する図である。図２１は、キー配布処理のフローチャートである。なお、本実施形態において、複数の利用者による手書きのメッセージを寄書きとしてやりとりするサービスは、利用者「田中太郎」、「吉野由子」及び「柴田村雄」による手書きのメッセージを寄書きとして、利用者「清水次郎」に送るものとする。
【０１４２】
田中太郎は、まず、端末装置８５ａを使用して図２０に示すように、寄書きの記入期限（２００７年７月２５日）、あて先（清水次郎）、記入者（田中太郎、吉野由子、柴田村雄）に関する情報を入力する。ここで、記入者とは、後述するキー値が配布されるキー配布者のことである。換言すると、端末装置８５ａは、寄書きの記入期限、あて先、記入者に関する情報を取得する（ステップＳ５１）。そして、端末装置８５ａは、寄書きの記入期限、あて先、記入者に関する情報をキー配布サーバ９７に送信する（ステップＳ５２）。
【０１４３】
キー配布サーバ９７のデータ通信手段１７２は、端末装置８５ａから、記入期限、あて先及び記入者に関する情報を取得する。続いて、データ通信手段１７２は、取得した記入者に関する情報に基づいて、ペン所有者サーバ９１から、キー配布者に対応するペンＩＤを取得する。さらに、情報記憶手段１７１は、記入期限、あて先、キー配布者のペンＩＤに関連付けて識別可能なキー値を記憶する。即ち、情報記憶手段１７１に記入期限、あて先、キー配布者のペンＩＤを登録する（ステップＳ５３）。そして、データ通信手段１７２は、端末装置８５を介して、キー配布者のペンＩＤが示す電子ペン８０へ当該キー値を送信する。具体的に、図２０の例では、データ通信手段１７２は、端末装置８５ａを介して、ペンＩＤ「１３４２５」である田中太郎の電子ペン８０ａにキー値「ｘｃｘ１２３」を送信する。同様に、データ通信手段１７２は、端末装置８５ｃを介して、ペンＩＤ「１２３４６」である吉野由子の電子ペン８０ｃにキー値「ｘｃｘ１２３」を送信する。さらに、データ通信手段１７２は、端末装置８５ｄを介して、ペンＩＤ「１２３４７」である柴田村雄の電子ペン８０ｄにキー値「ｘｃｘ１２３」を送信する。即ち、データ通信手段１７２は、キー配布者にキー値を配布する（ステップＳ５４）。電子ペン８０ａ、８０ｃ及び８０ｄがキー値を取得することによりキー配布処理は完了する（ステップＳ５５）。
【０１４４】
続いて、本実施形態の情報処理システムにより行われる登録処理（寄書き）フローについて図２０及び図２２乃至２４を参照して説明する。図２２は、サービス内容「寄書き」におけるストローク情報及び音声情報の登録を説明する図であり、図２３は、結合ファイルの登録を説明する図である。図２４は、登録処理（寄書き）のフローチャートである。
【０１４５】
キー配布者は、それぞれ帳票３１及びページアドレス「１０．３０．２０．１」のサービス選択パレット３２を購入する。そして、キー配布者は、自身の電子ペン８０のペン先部１７により、帳票３１上に設けられた請求ボックス４１をタップする。これにより、上述のファイル取得処理が実行される。さらに、キー配布者は、それぞれサービス選択パレット３２上に設けられたボックスの中から「寄書き」にチェックマークを記入する。これにより、上述のサービス特定処理が実行される。なお、ファイル取得処理及びサービス特定処理の詳細は、上述と同様であるため便宜上省略する。
【０１４６】
続いて、キー配布者は、それぞれ自身の電子ペン８０のペン先部１７により、帳票３１にメッセージを記入する。また、メッセージを記入する際に電子ペン８０の音声入力部（マイク）２３にむかって、音声を吹き込む。具体的には図２０に示すように、田中太郎は、電子ペン８０ａのペン先部１７により、ページアドレス「１０．３２．６５．０２」の帳票３１ａにメッセージ「幸せにな」を記入する。また、メッセージを記入する際に電子ペン８０ａの音声入力部（マイク）２３にむかって、音声「ご結婚おめでとう。いいダンナみつけたね。」を吹き込む。吉野由子及び柴田村雄も図２０に示すように、メッセージを記入し、音声を吹き込む。
【０１４７】
すると、電子ペン８０は、記入情報取得手段１０２によって、帳票３１への記入に対応する座標データ、ページアドレス、時間情報及び筆圧データを記入情報として取得し、情報記憶手段１０１に記憶させるとともにエリア設定手段１０６へ伝達する（ステップＳ６０）。また、電子ペン８０は、音声入力手段１０８によって、メッセージを記入する際に吹き込まれた音声を音声データとして取得し、情報記憶手段１０１に記憶するとともに音声情報送信手段へ伝達する（ステップＳ６１）。
【０１４８】
エリア設定手段１０６のメッセージエリア設定手段は、情報記憶手段１０１に記憶されている帳票３１への記入に対応する記入情報に基づいて、メッセージの記入に対応する記入ストロークの帳票３１上での位置情報を演算し、当該記入ストロークを内包するエリアの座標データを算出してユーザエリアとしてエリアＩＤを付与し、当該記入情報と対応付けるとともにストローク情報送信手段に伝達する。即ち、メッセージエリアを設定する（ステップＳ６２）。
【０１４９】
ストローク情報送信手段は、記入情報取得手段１０２が取得した記入情報に基づいて、ペンＩＤと、メッセージエリアを示すページアドレス及び座標データと、メッセージエリアに記入された記入情報とを含むストローク情報を、ストロークサーバ９４に送信する（ステップＳ６３）。ストロークサーバ９４は、図２２（ａ）に示すように、データ通信手段１４２によりストローク情報を取得し、ストローク情報に基づいて情報記憶手段１４１によりキー値、ペンＩＤ、記入情報に含まれる時間情報、筆圧データ、メッセージエリアを示すページアドレス及び座標データに関連付けてメッセージエリアに記入されたストロークデータを記憶する。即ち、ストロークサーバ９４は、情報記憶手段１４１にストローク情報を登録する（ステップＳ６４）。
【０１５０】
音声情報送信手段は、記入情報取得手段１０２が取得した記入情報に基づいて、ペンＩＤと、メッセージエリアへの記入時刻を示す時間情報と、当該メッセージエリアを示す座標データ及びページアドレスと、音声入力手段１０８が取得した音声データとを含む音声情報を、音声サーバ９５に送信する（ステップＳ６５）。音声サーバ９５は、図２２（ｂ）に示すように、データ通信手段１５２により音声情報を取得し、音声情報に基づいて情報記憶手段１５１によりキー値、ペンＩＤ、時間情報、ページアドレス及び座標データに関連付けて音声データを記憶する。即ち、音声サーバ９５は、情報記憶手段１５１に音声情報を登録する（ステップＳ６６）。
【０１５１】
そして、記入済ファイル情報送信手段は、キー値と、ペンＩＤと、ファイル取得手段が取得した空のエリア定義情報ファイルと、メッセージエリア設定手段が設定したメッセージエリアを示す座標データ及びページアドレスとを含む記入済ファイル情報を、記入済ファイルサーバ９６に送信する（ステップＳ６８）。具体的に田中太郎が使用する電子ペン８０ａの記入済ファイル情報送信手段は、キー値「ｘｃｘ１２３」と、ペンＩＤ「１３４２５」と、エリア定義情報ファイル（１０．３２．６５．０２．ｐａｄ）と、メッセージエリアを示す座標データ及びページアドレスとを含む記入済ファイル情報を、記入済ファイルサーバ９６に送信する。また、吉野由子が使用する電子ペン８０ｃの記入済ファイル情報送信手段は、キー値「ｘｃｘ１２３」と、ペンＩＤ「１２３４６」と、エリア定義情報ファイル（１０．３０．１２．３２．ｐａｄ）と、メッセージエリアを示す座標データ及びページアドレスとを含む記入済ファイル情報を、記入済ファイルサーバ９６に送信する。また、柴田村雄が使用する電子ペン８０ｄの記入済ファイル情報送信手段は、キー値「ｘｃｘ１２３」と、ペンＩＤ「１２３４７」と、エリア定義情報ファイル（１０．３０．３２．０２．ｐａｄ）と、メッセージエリアを示す座標データ及びページアドレスとを含む記入済ファイル情報を、記入済ファイルサーバ９６に送信する。
【０１５２】
記入済ファイルサーバ９６は、図２３に示すように、データ通信手段１６２により記入済ファイル情報を取得し、記入済ファイル情報に基づいて情報記憶手段１６１によりキー値、ペンＩＤ、座標データ及びページアドレスに関連付けてエリア定義情報ファイルを記憶する。即ち、記入済ファイル情報送信手段は、情報記憶手段１６１にエリア定義情報ファイルを登録する（ステップＳ６９）。
【０１５３】
電子ペン８０のファイル作成手段１０７は、図２３に示すようにエリア定義情報ファイル生成アプリケーションにより、記入済ファイルサーバ９２を参照し、キー値「ｘｃｘ１２３」が一致する複数のエリア定義情報ファイルを１つに結合した結合ファイル（１０．１２．１２．１３．ｐａｄ）を作成する（ステップＳ７０）。このとき、エリア定義情報ファイル生成アプリケーションは、田中太郎、吉野由子及び柴田村雄のストロークがかぶらないように、ユーザエリア（メッセージエリア）を自動で定義した上で結合ファイルを作成する。続いて、ファイル作成手段１０７は、結合ファイルに基づいてストロークサーバ９６のストローク情報を参照することにより、プリンタで図示のような寄書き帳票３３を印刷する（ステップＳ７１）。記入済エリア定義情報ファイル送信手段は、キー値「ｘｃｘ１２３」と、結合ファイルとを含む結合ファイル情報を、記入済ファイルサーバ９６に送信する（ステップＳ７２）。
【０１５４】
記入済ファイルサーバ９６は、図２３に示すように、データ通信手段１６２により結合ファイル情報を取得し、結合ファイル情報に基づいて情報記憶手段１６１によりキー値に関連付けてエリア定義情報ファイルを記憶する。即ち、記入済ファイル情報送信手段は、情報記憶手段１６１に結合ファイルを登録する（ステップＳ７３）。これにより、登録処理（寄書き）は完了する。
【０１５５】
続いて、本実施形態の情報処理システムにより行われる寄書き出力処理フローについて図２５及び２６を参照して説明する。図２５は、郵送により取得した寄書き帳票３３が電子ペン８０でタップされることにより音声を出力する寄書き出力処理を説明する図である。図２６は、寄書き出力処理のフローチャートである。
【０１５６】
登録処理（寄書き）においてファイル作成手段１０７がプリンタにより印刷した寄書き帳票３３は、キー配布サーバ９７の情報記憶手段１７１を参照することにより特定されるあて先へ郵送により送付される。
【０１５７】
あて先である清水次郎は、図２５に示すように、自身が所有する電子ペン８０ｂのペン先部１７により、郵送されてきた寄書き帳票３３をタップする。すると、電子ペン８０ｂは、記入情報取得手段１０２によって、寄書き帳票３３へのタップに対応する座標データ、ページアドレス、時間情報及び筆圧データを記入情報として取得し、情報記憶手段１０１に記憶する（ステップＳ８１）。続いて、データ通信手段１１０の座標データ送信手段は、記入情報に含まれるページアドレス及び座標データを記入済ファイルサーバ９６へ送信する（ステップＳ８２）。具体的に清水次郎は、図示のように、寄書き帳票３３のメッセージ「おめでとう  柴田」に対応するエリアを電子ペン８０ｂでタップする。すると、電子ペン８０ｂは、寄書き帳票３３へのタップに対応する座標データ「（ｘ３，ｙ３），Ｈ３，Ｗ３」、ページアドレス「１０．１２．１２．１３」等を記入情報として取得し、情報記憶手段１０１に記憶するとともに、記入済ファイルサーバ９６へ送信する。
【０１５８】
記入済ファイルサーバ９６のデータ通信手段１６２は、電子ペン８０ｂの座標データ送信手段からページアドレス及び座標データを取得する（ステップＳ８３）。記入済ファイルサーバ９６は、データ通信手段１６２が取得したページアドレス及び座標データに基づいて、図２５に示すように情報記憶手段１６１に記憶された対応テーブルを参照することで、対応するページアドレスを特定する（ステップＳ８４）。具体的に記入済ファイルサーバ９６は、データ通信手段１６２が取得したページアドレス「１０．１２．１２．１３」に基づいて、図示のように「１０．１２．１２．１３．ｐａｄ」の対応テーブルを参照する。さらに、記入済ファイルサーバ９６は、ページアドレス「（ｘ３，ｙ３），Ｈ３，Ｗ３」に基づいて、当該対応テーブルを参照することで、対応するページアドレス「１０．３０．３２．０２」と特定する。そして、記入済ファイルサーバ９６のデータ通信手段１６２は、特定したページアドレスを音声サーバ９５へ送信する。
【０１５９】
音声サーバ９５のデータ通信手段１５２は、記入済ファイルサーバ９６からページアドレスを取得する。音声サーバ９５は、データ通信手段１５２が取得したページアドレスに基づいて、情報記憶手段１５１から対応する音声データを抽出する（ステップＳ８５）。具体的に音声サーバ９５は、図２５に示すように、データ通信手段１５２が取得したページアドレス「１０．３０．３２．０２」に基づいて、情報記憶手段１５１から対応する音声データ「結婚おめでとう。僕も結婚式はここでしようかな。」を抽出する。そして、データ通信手段１５２は、抽出した音声データを電子ペン８０ｂへ送信する（ステップＳ８６）。
【０１６０】
電子ペン８０ｂの音声データ取得手段は、音声サーバ９５のデータ通信手段１５２から音声データを取得する（ステップＳ８７）。音声出力手段１０９は、音声データ取得手段が取得した音声データに基づいて音声を出力する（ステップＳ８８）。即ち、あて先である清水次郎がタップした寄書き帳票３３の特定のユーザエリアに対応する音声を出力する。これにより、寄書き出力処理は完了する。
【０１６１】
このように、利用者は、帳票上の任意の位置に、任意の容量の音声情報を付加することができる。また、任意の期間内のメッセージを自由に編集することが可能となる。
【０１６２】
また、具体的には図２７に示すように、電子ペン８０及び携帯電話を使用して、結婚式当日に贈り物とともに新郎新婦に寄書きを届けると共に、新郎新婦からの音声メッセージを携帯電話で聞くことができるサービスも可能となる。
【０１６３】
[ 本情報処理システムによる作用効果 ]
この情報処理システムによれば、電子ペン８０で専用ペーパー（電子ペン用媒体）２０に記入した文字列に対応付けて、当該専用ペーパー２０上の任意の位置に、任意の容量の音声情報を付加することができる。これによれば、音声情報付きの手書きメッセージを郵送やメールなどを介して容易にやりとりすることが可能となる。
【０１６４】
本発明は、上記実施形態に限られたものではなく、例えば図２８に示すように、音声情報を付加した双方向の手紙のやり取りを可能とする。なお、音声情報に限らず、地図情報や画像情報を付加することも可能である。よって、祖父と孫等のコミュニケーションツールとして利用することができる。
【０１６５】
さらに、図２９に示すように、特定の期間（例えば、平成１７年４月１日から平成１８年３月３１日まで）の手紙のやりとりを冊子として作成し、祖父と孫の双方へ送付することができる。これによれば、以前の手紙に付加されていた音声を聞くことが可能となる。また、孫の成長とともに１年毎に作成すれば成長日記にもなる。
【０１６６】
また、上記実施形態では、電子ペン８０のクロック２２は現在時刻を発信することとしているが（図２参照）、クロック２２は、端末装置８５との通信接続が確立した時点から通信接続状態が終了するまでの間、０から始まりストロークの記入中に経過していく記入時間を発信することとしてもよい。この場合、プロセッサ１１は、ストロークの記入中に、クロック２２が発信する経過時間（記入時間）を時間情報として取得し、その時間情報と、筆圧データと、Ｘ，Ｙ座標データとを関連付け、データ通信ユニット１３に対して記入情報として端末装置８５へ送信させる。
【０１６７】
また、電子ペン８０内に、ペン自体又はその所有者に関するプロパティ情報（ペン情報又はペン所有者情報）を保持しておき、端末装置８５から参照することができるようにしてもよいし、プロパティ情報の全部又は一部を記入情報と共に端末装置８５に送信するようにしてもよい。ペン情報としては、バッテリーレベル、ペンＩＤ、ペン製造者番号、ペンソフトウェアのバージョン、サブスクリプションプロバイダのＩＤ、空きメモリ容量などが挙げられる。また、ペン所有者情報としては、国籍、言語、タイムゾーン、emailアドレス、名称、住所、ファックス／電話番号、携帯電話番号などが挙げられる。
【０１６８】
また、上記実施形態では、ドットは赤外線を吸収するカーボンを含むインクとし、電子ペン８０のＬＥＤ１５を、赤外線を照射するＬＥＤとし、カメラ１６によって赤外線の反射量の差によって、電子ペン８０でドットパターンを読み取っていたが、これに限らない。例えば、ドットは所定波長の光によって所定波長を発光するインクとし、電子ペン８０のＬＥＤ１５を、ドットのインクを発光させる光を照射するものとし、カメラ１６によってドットのインクが発光する波長の領域を検知することによって、電子ペン８０でドットパターンを読み取るようにしてもよく、カメラ１６によってドットパターンが読み取れれば、ドットのインクの種別やＬＥＤ１５の照射光等は上記実施形態で示したものに限られない。また、専用ペーパー２０における位置座標が特定できるものであれば、ドットパターンの代わりに、別のコード化されたパターン、例えば、２次元コードパターンなどであってもよい。
【０１６９】
また、ドットパターンの割り当ては、通常、用紙の用途毎に行われるが、専用ペーパー２０を商業印刷機により大量印刷するような場合には、同一種類の電子ペン用媒体には同じドットパターンが印刷されることになる。この場合、同一種類の電子ペン用媒体を１枚１枚区別するため、電子ペン用媒体には、各媒体を識別する識別情報を記入するための識別情報記入欄を設けるとよい。電子ペン８０において、取得した記入情報に基づいて、文字認識により識別情報記入欄に記入された識別情報を特定し、当該記入情報と対応付けて記憶しておけば、同種の電子ペン用媒体を１枚１枚区別することができる。この他、ペンＩＤを当該識別情報と共に当該記入情報と対応付けて記憶することとしてもよい。これにより、電子ペン８０は、記憶した識別情報もしくは識別情報とペンＩＤに基づいて、各電子ペン用媒体を識別することができる。他方、プリンタにより印刷する場合には、用紙１枚１枚に異なるドットパターンを割り当てて、専用ペーパー２０を印刷することも可能である。この場合、各専用ペーパー２０に印刷されたドットパターンは、専用ペーパー２０毎に異なるため、ドットパターンによって専用ペーパー２０を１枚１枚識別し区別することができる。
【０１７０】
[ 変形例 ]
上記実施形態では、電子ペン８０がメモリ１２、スピーカ１９及びマイク２３等を有しており、図６に示す各手段１０１乃至１１０を実行することとしているが、本発明はこれに限定されるものではなく、電子ペン１０は取得した記入情報をデータ通信ユニット１３により即時的且つ逐次的に端末装置２５Ａへ送信し、メモリ、スピーカ及びマイク等を有する端末装置２５Ａが、図６に示す各手段１０１乃至１１０を実行することとしてもよい。
【０１７１】
ここで、本変形例の情報処理システムについて、図３０を参照して説明する。図３０は、電子ペン１０Ａの構成を示すブロック図である。電子ペン１０Ａは、通常のインクペンと同様のペン先部１７を備えており、利用者が通常のインクペンと同様にペン先部１７によって専用ペーパー２０上に文字などを書くと、電子ペン１０Ａは、ペン先部１７の移動軌跡に沿って、専用ペーパー２０に印刷されたドットパターンを局所的、連続的に読み取り、専用ペーパー２０におけるその局所位置の座標を算出し、その座標データ等を端末装置２５Ａへ送信する。電子ペン１０Ａは、端末装置２５Ａへ確実にデータを送信できるよう、端末装置２５Ａの近傍で使用される。端末装置２５Ａは、受信した座標データ等に基づいて、記入文字を文字認識したり、タップに応じた処理を行ったりする等、所定の処理を実行する。具体的に端末装置２５Ａは、上記実施形態において電子ペン８０が実行する各手段１０１乃至１１０を実行する。これにより、本変形例の情報処理システムにおいても、上記実施形態と同様の効果を得ることができる。
【０１７２】
なお、本変形例と上記実施形態の異なる部分は、電子ペン１０Ａの構成であるため、専用ペーパー（電子ペン用媒体）２０やドットパターンの構成、端末装置２５Ａが実行する各手段等、上記実施形態と同様の部分については便宜上説明を省略する。
【０１７３】
ここで、電子ペン１０Ａについて説明する。図２に示すように、電子ペン１０Ａは、その内部にプロセッサ１１、データ通信ユニット１３、バッテリー１４、ＬＥＤ１５、カメラ１６、圧力センサ１８及びクロック２２を備える。また、電子ペン１０Ａは通常のインクペンと同様の構成要素としてインクカートリッジ（図示せず）などを有する。
【０１７４】
バッテリー１４は電子ペン１０Ａ内の各部品に電力を供給するためのものであり、例えば電子ペン１０Ａのキャップ（図示せず）の脱着により電子ペン１０Ａ自体の電源のオン／オフを行うよう構成させてもよい。クロック２２は、現在時刻（タイムスタンプ）を発信し、プロセッサ１１に供給する。圧力センサ１８は、利用者が電子ペン１０Ａにより専用ペーパー２０上に文字などを書く際にペン先部１７に与えられる圧力、即ち筆圧を検出し、プロセッサ１１へ供給する。
【０１７５】
プロセッサ１１は、圧力センサ１８から与えられる筆圧データに基づいて、ＬＥＤ１５及びカメラ１６のスイッチオン／オフの切換を行う。即ち、利用者が電子ペン１０Ａで薬品記録帳２６上に文字などを書くと、ペン先部１７には筆圧がかかり、圧力センサ１８によって所定値以上の筆圧が検出されたときに、プロセッサ１１は、利用者が専用ペーパー２０への記入を開始したと判定して、ＬＥＤ１５及びカメラ１６を作動させる。
【０１７６】
ＬＥＤ１５は、電子ペン１０Ａのペン先付近に取り付けられており、薬品記録帳２６上のペン先部１７近傍（領域１５ａ）に向けて、赤外線を照明する（図１参照）。領域１５ａは、ペン先部１７が専用ペーパー２０に接触する位置とはわずかにずれている。カメラ１６は、ＬＥＤ１５によって照明された領域１５ａ内におけるドットパターンを撮影し、そのドットパターンの画像データをプロセッサ１１に供給する。ここで、カーボンは赤外線を吸収するため、ＬＥＤ１５によって照射された赤外線は、ドットの部分でドットに含まれるカーボンによって吸収される。そのため、ドットの部分は、赤外線の反射量が少なく、ドット以外の部分は赤外線の反射量が多い。したがって、カメラ１６の撮影により、赤外線の反射量の違いから、カーボンを含むドットの領域とそれ以外の領域を区別することができる。たとえ撮影領域に罫線や枠などが印刷されてあったとしても、罫線や枠などのインクには、カーボンが含まれていないため、ドットパターンを認識することができる。なお、カメラ１６による撮影領域は、図６（ａ）に示すような約２mm×約２mmの大きさを含む範囲であり、カメラ１６の撮影は、毎秒５０〜１００回程度行われる。
【０１７７】
プロセッサ１１は、利用者による専用ペーパー２０への記入が行われる間、カメラ１６によって供給される画像データのドットパターンから、利用者による記入に対応するストロークの専用ペーパー２０上でのＸ，Ｙ座標（単に「座標データ」とも呼ぶ）を連続的に算出していく。すなわち、プロセッサ１１は、カメラ１６によって供給される、図６（ａ）に示されるようなドットパターンの画像データを図６（ｂ）に示すデータ配列に変換し、さらに、Ｘ座標ビット値・Ｙ座標ビット値に変換して、そのデータ配列から所定の演算方法によりＸ，Ｙ座標データを算出するとともに、薬品記録帳２６のページ毎に固有の識別子であるドットパターンアドレス（コード化パターンアドレス）を算出する。そしてプロセッサ１１は、現在時刻（タイムスタンプ）を発信するクロック２２から時間情報を取得し、その時間情報と、筆圧データ、ドットパターンアドレス及びＸ，Ｙ座標データとを関連付け、これらの情報を記入情報として、データ通信ユニット１３に対して、端末装置２５Ａへ送信させる。ここで、一枚の専用ペーパー（電子ペン用媒体）２０内の６×６のドットパターンは、その専用ペーパー２０内で重複することはないため、利用者が電子ペン１０Ａで専用ペーパー２０の任意のエリアに必要事項を記入したりタップしたりすると、その記入やタップが専用ペーパー２０のどのエリアに対応するものであるかを、座標データから特定することができる。
【０１７８】
データ通信ユニット１３は、プロセッサ１１により供給されるメモリ１２内の所定のデータを近傍にある端末装置２５Ａへ無線送信する。データ通信ユニット１３による送信は、Bluetooth（登録商標）の無線送信によると好適である。なお、ＵＳＢケーブルを使用した有線送信、端子などの接触によるデータ送信など、他の方法によって、データ通信ユニット１３から端末装置２５Ａへデータ送信を行ってもよい。データ通信ユニット１３による端末装置２５Ａへの記入情報の送信は、即時的且つ逐次的に行われる。
【０１７９】
端末装置２５Ａは、ハードウェアとして、電子ペン１０Ａとのデータ通信が可能なアンテナ装置、ＣＰＵ等のプロセッサ、ＲＯＭやＲＡＭといったメモリ、スピーカ、ディスプレイ等で構成される、ＰＣや携帯電話或いは携帯端末である。端末装置２５Ａは、電子ペン１０Ａから取得したＸ，Ｙデータ等の記入情報に基づいて、専用アプリケーションを実行することで所定の処理を行う。端末装置２５Ａが有する専用アプリケーション及び端末装置２５Ａが実行する各手段は、上記実施形態と同様であるため、便宜上説明を省略する。
【０１８０】
なお、本発明は、上記変形例に限られない。上記変形例では、図３０に示すようにクロック２２を備える電子ペン１０Ａを使用したが、図３１に示すようにクロック２２を備えていない電子ペン１０Ｂを使用することとしてもよい。その場合、プロセッサ１１は、利用者によって電子ペン１０Ｂを用いて記入が行われる間に、筆圧データ、ドットパターンアドレス及びＸ，Ｙ座標データを取得し、それらのデータを記入情報としてデータ通信ユニット１３により端末装置２５Ｂ（２５）へ送信する。その代わり、端末装置２５Ｂは、現在時刻を発信するクロックを備えており、記入情報取得手段３１によって、電子ペン１０Ｂから送信される記入情報を即時的且つ逐次的に取得し、取得時にクロックより発信された現在時刻を取得時刻として当該記入情報と関連付けて、情報記憶手段３０に記憶する。つまり、端末装置２５Ｂは、記入情報と、記入情報の取得時刻とを関連付けて記憶する。
【０１８１】
また、電子ペン１０内に、ペン自体又はその所有者に関するプロパティ情報（ペン情報又はペン所有者情報）を保持しておき、端末装置２５から参照することができるようにしてもよいし、プロパティ情報の全部又は一部を記入情報と共に端末装置２５に送信するようにしてもよい。ペン情報としては、バッテリーレベル、ペンＩＤ、ペン製造者番号、ペンソフトウェアのバージョン、サブスクリプションプロバイダのＩＤなどが挙げられる。また、ペン所有者情報としては、国籍、言語、タイムゾーン、emailアドレス、名称、住所、ファックス／電話番号、携帯電話番号などが挙げられる。
【０１８２】
また、上記実施形態では、ドットは赤外線を吸収するカーボンを含むインクとし、電子ペン１０のＬＥＤ１５を、赤外線を照射するＬＥＤとし、カメラ１６によって赤外線の反射量の差によって、電子ペン１０でドットパターンを読み取っていたが、これに限らない。例えば、ドットは所定波長の光によって所定波長を発光するインクとし、電子ペン１０のＬＥＤ１５を、ドットのインクを発光させる光を照射するものとし、カメラ１６によってドットのインクが発光する波長の領域を検知することによって、電子ペン１０でドットパターンを読み取るようにしてもよく、カメラ１６によってドットパターンが読み取れれば、ドットのインクの種別やＬＥＤ１５の照射光等は上記実施形態で示したものに限られない。また、専用ペーパー（電子ペン用媒体）２０における位置座標が特定できるものであれば、ドットパターンの代わりに、別のコード化されたパターン、例えば、２次元コードパターンなどであってもよい。
【０１８３】
この情報処理システムによれば、電子ペン１０Ａで専用ペーパー（電子ペン用媒体）２０に記入した文字列に対応付けて、当該専用ペーパー２０上の任意の位置に、任意の容量の音声情報を付加することができる。これによれば、音声情報付きの手書きメッセージを郵送やメールなどを介して容易にやりとりすることが可能となる。
【産業上の利用可能性】
【０１８４】
本発明は、手書きメッセージに音声情報を付加し、交換できるサービスを提供することが可能な電子ペンとして様々な分野で利用することができる。
【図面の簡単な説明】
【０１８５】
【図１】電子ペンの使用形態を模式的に示す図である。
【図２】実施形態における電子ペンの構成を示すブロック図である。
【図３】実施形態における電子ペン用媒体の例である。
【図４】専用ペーパーに印刷されたドットパターンによる情報の表現方法を説明する図である。
【図５】（ａ）は、ドットパターンを模式的に示し、（ｂ）は、それに対応する情報の例を示す図である。
【図６】電子ペンの主要な構成を示す機能ブロック図である。
【図７】定義情報のデータ構造を模式的に示す図である。
【図８】座標データを説明する図である。
【図９】実施形態における専用アプリケーションのモジュール構成図である。
【図１０】ペン所有者情報の登録を説明する図である。
【図１１】エリア定義情報ファイルの取得を説明する図である。
【図１２】ファイル取得処理のフローチャートである。
【図１３】サービス特定処理のフローチャートである。
【図１４】あて先情報、ストローク情報、音声情報及びエリア定義情報ファイルの登録を説明する図である。
【図１５】登録処理のフローチャートである。
【図１６】紙で郵送するサービスにおける出力処理を説明する図である。
【図１７】第１出力処理のフローチャートである。
【図１８】メールで送信するサービスにおける出力処理を説明する図である。
【図１９】第２出力処理のフローチャートである。
【図２０】サービス内容「寄書き」におけるキーの配布を説明する図である。
【図２１】キー配布処理のフローチャートである。
【図２２】サービス内容「寄書き」におけるストローク情報及び音声情報の登録を説明する図である。
【図２３】結合ファイルの登録を説明する図である。
【図２４】登録処理（寄書き）のフローチャートである。
【図２５】寄書き帳票に基づいて音声を出力する寄書き出力処理を説明する図である。
【図２６】寄書き出力処理のフローチャートである。
【図２７】結婚式寄書きサービスを説明する図である。
【図２８】祖父と孫のコミュニケーションツールを説明する図である。
【図２９】メモリアルアルバムサービスを説明する図である。
【図３０】変形例（クロックあり）における電子ペンの構成を示すブロック図である。
【図３１】変形例（クロックなし）における電子ペンの構成を示すブロック図である。
【符号の説明】
【０１８６】
１１…プロセッサ、１２…メモリ、１３…データ通信ユニット、１４…バッテリー、１５…ＬＥＤ、１６…カメラ、１８…圧力センサ、１９…スピーカ、２０…専用ペーパー（電子ペン用媒体）、２２…クロック、２３…マイク、５０…専用アプリケーション、８０…電子ペン、８５…端末装置、１０１…情報記憶手段、１０２…記入情報取得手段、１０３…エリア認識手段、１０４…開始終了点特定手段、１０５…タップ判定手段、１０６…エリア設定手段、１０７…ファイル作成手段、１０８…音声入力手段、１０９…音声出力手段、１１０…データ通信手段
【図１】
2009193366.tif 000003
【図２】
2009193366.tif 000004
【図３】
2009193366.tif 000005
【図４】
2009193366.tif 000006
【図５】
2009193366.tif 000007
【図６】
2009193366.tif 000008
【図７】
2009193366.tif 000009
【図８】
2009193366.tif 000010
【図９】
2009193366.tif 000011
【図１０】
2009193366.tif 000012
【図１１】
2009193366.tif 000013
【図１２】
2009193366.tif 000014
【図１３】
2009193366.tif 000015
【図１４】
2009193366.tif 000016
【図１５】
2009193366.tif 000017
【図１６】
2009193366.tif 000018
【図１７】
2009193366.tif 000019
【図１８】
2009193366.tif 000020
【図１９】
2009193366.tif 000021
【図２０】
2009193366.tif 000022
【図２１】
2009193366.tif 000023
【図２２】
2009193366.tif 000024
【図２３】
2009193366.tif 000025
【図２４】
2009193366.tif 000026
【図２５】
2009193366.tif 000027
【図２６】
2009193366.tif 000028
【図２７】
2009193366.tif 000029
【図２８】
2009193366.tif 000030
【図２９】
2009193366.tif 000031
【図３０】
2009193366.tif 000032
【図３１】
2009193366.tif 000033